(57)【要約】【課題】ハンドオーバ先として望ましくないセルへのハンドオーバを防止可能な無線通信装置を提供すること。【解決手段】特定の端末のみにアクセスを許可するアクセス制限セルを提供可能な無線通信装置は、ハンドオーバ先のセルとして受け入れないセルの報知情報に含めるアクセス制限の識別情報として、当該無線通信装置で使用されていない偽識別情報又は空情報を設定した報知情報を作成する報知情報作成部と、他の無線通信装置から送られたハンドオーバ要求メッセージに偽識別情報又は空情報が含まれていれば、ハンドオーバ要求メッセージに基づくハンドオーバの要求を拒否するハンドオーバ管理部とを備える。【選択図】図１０
2013078061.tif 000002
【特許請求の範囲】
【請求項１】
特定の端末のみにアクセスを許可するアクセス制限セルを提供可能な無線通信装置であって、
ハンドオーバ先のセルとして受け入れないセルの報知情報に含めるアクセス制限の識別情報として、当該無線通信装置で使用されていない偽識別情報又は空情報を設定した前記報知情報を作成する報知情報作成部と、
前記報知情報を端末に送信する送信部と、
を備えた無線通信装置。
【請求項２】
請求項１に記載の無線通信装置であって、
当該無線通信装置で使用されていない偽識別情報又は空情報が、前記端末において使用されていない偽識別情報である無線通信装置。
【請求項３】
請求項１又は請求項２に記載の無線通信装置であって、
他の無線通信装置から送られたハンドオーバ要求メッセージに前記偽識別情報又は前記空情報が含まれていれば、前記ハンドオーバ要求メッセージに基づくハンドオーバの要求を拒否するハンドオーバ管理部を備えた前記無線通信装置。
【請求項４】
無線通信装置と無線通信する無線通信端末であって、
通信していない近接する無線通信装置からの報知情報を参照して、当該報知情報が示すセルへのアクセスが禁止されているかを判定するアクセス禁止判定部と、
前記アクセス禁止判定部による判定結果が所定セルへのアクセス禁止を示すとき、前記アクセス禁止判定部による判定結果を含む、前記所定セルに係る測定結果報告を作成する測定結果報告作成部と、
当該無線通信端末が接続中の無線通信装置に前記測定結果報告を送信する送信部と、
を備えた無線通信端末。
【請求項５】
無線通信装置と無線通信する無線通信端末であって、
通信していない近接する無線通信装置からの報知情報を参照して、当該報知情報が示すセルへのアクセスが禁止されているかを判定するアクセス禁止判定部と、
前記アクセス禁止判定部による判定結果が所定セルへのアクセス禁止を示すとき、当該無線通信端末が前記所定セルにアクセスが許可された端末ではないことを示すパラメータを含む、前記所定セルに係る測定結果報告を作成する測定結果報告作成部と、
当該無線通信端末が接続中の無線通信装置に前記測定結果報告を送信する送信部と、
を備えた無線通信端末。
【請求項６】
無線通信端末が複数のセルを用いて無線通信装置と通信可能な無線通信システムであって、
前記無線通信端末は、
接続中の無線通信装置から送信された測定設定によって指示された周波数において検知したセルが測定結果報告を送信する条件を満たすと、当該セルの受信品質と、前記測定設定で指示された別の周波数における最も受信品質の良いセルの受信品質とを含む測定結果報告作成する測定結果報告作成部と、
前記測定結果報告作成部が作成した測定結果報告を前記接続中の無線通信装置に送信する送信部と、を備え、
前記接続中の無線通信装置は、
前記無線通信端末への指示として、測定結果報告の送信を判定する周波数における測定設定に、前記測定結果報告を送る際に受信品質が最も良いセルの受信品質を含める別の周波数の指示を含めた測定設定を作成して、前記無線通信端末に送信する無線通信システム。
【請求項７】
無線通信端末がプライマリセル及びセカンダリセルを含む複数のセルを用いて無線通信装置と通信可能な無線通信システムであって、
前記無線通信端末は、
複数のセルを用いた通信を第１の無線通信装置と行った際の各セルに係る過去情報を作成して管理する情報管理部と、
接続中の第２の無線通信装置から得られた情報と前記情報管理部が管理する過去情報から、前記無線通信端末が前記第１の無線通信装置に近づいたかを判定する近接判定部と、
前記情報管理部が管理する過去情報を参照して、前記第１の無線通信装置と通信を行った際の複数のセルに関するセル情報を作成するセル情報作成部と、
前記セル情報作成部が作成したセル情報及び前記第２の無線通信装置からの指示に基づく測定結果報告を、前記第２の無線通信装置にそれぞれ送信する送信部と、を備え、
前記第２の無線通信装置は、
前記無線通信端末への指示として、前記無線通信端末から送信された前記セル情報に含まれるプライマリセルの周波数での受信品質に加えて、前記セル情報に含まれるセカンダリセルの周波数での受信品質が最も良いセルの受信品質を含む測定結果を送信するよう指示する測定設定を作成して、前記無線通信端末に送信する無線通信システム。
【請求項８】
請求項７に記載の無線通信システムであって、
前記無線通信端末は、前記第２の無線通信装置から前記測定設定を受信すると、前記プライマリセルの周波数での受信品質と、前記セカンダリセルの周波数での受信品質が最も良いセルの受信品質と、を含む測定結果報告を作成する測定結果報告作成部を備えた無線通信システム。
【請求項９】
プライマリセル及びセカンダリセルを含む複数のセルを用いて無線通信装置と通信可能な無線通信端末であって、
複数のセルを用いた通信を第１の無線通信装置と行った際の各セルに係る過去情報を作成して管理する過去情報管理部と、
接続中の第２の無線通信装置から得られた情報と前記過去情報管理部が管理する過去情報から、当該無線通信端末が前記第１の無線通信装置に近づいたかを判定する近接判定部と、
前記過去情報管理部が管理する過去情報を参照して、前記第１の無線通信装置と前記複数のセルを用いて通信を行った際の、前記複数のセルに関するセル情報を作成するセル情報作成部と、
前記セル情報作成部が作成したセル情報を前記第２の無線通信装置に送信する送信部と、
前記セル情報に含まれるプライマリセルの周波数での受信品質に加えて、前記セル情報に含まれるセカンダリセルの周波数での受信品質が最も良いセルの受信品質を含む測定結果報告を送信するよう指示する測定設定を作成して当該無線通信端末に送信する前記第２の無線通信装置から前記測定設定を受信すると、前記測定設定に応じた測定結果報告を作成する測定結果報告作成部と、
を備えた無線通信端末。
【請求項１０】
プライマリセル及びセカンダリセルを含む複数のセルを用いた通信が可能な無線通信端末と無線通信する無線通信装置であって、
前記無線通信端末が複数のセルを用いた通信を行ったことのある他の無線通信装置に近接したとき、前記無線通信端末が作成して当該無線通信装置に送信する、前記複数のセルに関するセル情報に含まれるプライマリセルの周波数での受信品質に加えて、前記セル情報に含まれるセカンダリセルの周波数での受信品質が最も良いセルの受信品質を含む測定結果報告を送信するよう指示する測定設定を作成して、前記無線通信端末に送信する無線通信端末。
【請求項１１】
プライマリセル及びセカンダリセルを含む複数のセルを用いて無線通信装置と通信可能な無線通信端末であって、
複数のセルを用いた通信を第１の無線通信装置と行った際の各セルに係る過去情報を作成して管理する過去情報管理部と、
接続中の第２の無線通信装置から得られた情報と前記過去情報管理部が管理する過去情報から、当該無線通信端末が前記第１の無線通信装置に近づいたかを判定する近接判定部と、
前記過去情報管理部が管理する過去情報を参照して、前記第１の無線通信装置と前記複数のセルを用いて通信を行った際の、前記複数のセルに含まれるプライマリセルに関するセル情報を作成するセル情報作成部と、
前記セル情報作成部が作成したセル情報及び前記第２の無線通信装置から指示された前記プライマリセルの周波数での測定結果報告を、前記第２の無線通信装置にそれぞれ送信する送信部と、
を備えた無線通信端末。
【請求項１２】
特定の端末のみにアクセスを許可するアクセス制限セルを提供可能な無線通信装置が行う無線通信方法であって、
ハンドオーバ先のセルとして受け入れないセルの報知情報に含めるアクセス制限の識別情報として、当該無線通信装置で使用されていない偽識別情報又は空情報を設定した前記報知情報を作成し、
前記報知情報を端末に送信する無線通信方法。
【請求項１３】
請求項１２に記載の無線通信方法であって、
他の無線通信装置から送られたハンドオーバ要求メッセージに前記偽識別情報又は前記空情報が含まれていれば、前記ハンドオーバ要求メッセージに基づくハンドオーバの要求を拒否する無線通信方法。
【請求項１４】
無線通信装置と無線通信する無線通信端末が行う無線通信方法であって、
通信していない近接する無線通信装置からの報知情報を参照して、当該報知情報が示すセルへのアクセスが禁止されているかを判定し、
判定結果が所定セルへのアクセス禁止を示すとき、前記判定結果を含む、前記所定セルに係る測定結果報告を作成し、
前記無線通信端末が接続中の無線通信装置に前記測定結果報告を送信する無線通信方法。
【請求項１５】
無線通信装置と無線通信する無線通信端末が行う無線通信方法であって、
通信していない近接する無線通信装置からの報知情報を参照して、当該報知情報が示すセルへのアクセスが禁止されているかを判定し、
判定結果が所定セルへのアクセス禁止を示すとき、前記無線通信端末が前記所定セルにアクセスが許可された端末ではないことを示すパラメータを含む、前記所定セルに係る測定結果報告を作成し、
前記無線通信端末が接続中の無線通信装置に前記測定結果報告を送信する無線通信方法。
【請求項１６】
プライマリセル及びセカンダリセルを含む複数のセルを用いて無線通信装置と通信可能な無線通信端末が行う無線通信方法であって、
複数のセルを用いた通信を第１の無線通信装置と行った際の各セルに係る過去情報を作成して管理し、
接続中の第２の無線通信装置から得られた情報と前記過去情報から、前記無線通信端末が前記第１の無線通信装置に近づいたかを判定し、
前記過去情報を参照して、前記第１の無線通信装置と前記複数のセルを用いて通信を行った際の、前記複数のセルに関するセル情報を作成して、前記第２の無線通信装置に送信し、
前記第２の無線通信装置から送信された、前記セル情報が示すプライマリセルの周波数での受信品質に加えて、前記セル情報に含まれるセカンダリセルの周波数での受信品質が最も良いセルの受信品質を含む測定結果報告を送信するよう指示する測定設定を受信し、
前記測定設定で指示された前記プライマリセルの周波数での受信品質と、セカンダリセルの周波数の最も良い受信品質と、を含む測定結果報告を、前記第２の無線通信装置に送信する無線通信方法。
【請求項１７】
プライマリセル及びセカンダリセルを含む複数のセルを用いた通信が可能な無線通信端末と無線通信する無線通信装置が行う無線通信方法であって、
前記無線通信端末が複数のセルを用いた通信を行ったことのある他の無線通信装置に近接したとき、前記無線通信端末が作成して前記無線通信装置に送信する、前記複数のセルに関するセル情報に含まれるプライマリセルの周波数での受信品質に加えて、前記セル情報に含まれるセカンダリセルの周波数での受信品質が最も良いセルの受信品質を含む測定結果報告を送信するよう指示する測定設定を作成して、前記無線通信端末に送信する無線通信方法。
【請求項１８】
プライマリセル及びセカンダリセルを含む複数のセルを用いて無線通信装置と通信可能な無線通信端末が行う無線通信方法であって、
複数のセルを用いた通信を第１の無線通信装置と行った際の各セルに係る過去情報を作成して管理し、
接続中の第２の無線通信装置から得られた情報と前記過去情報から、前記無線通信端末が前記第１の無線通信装置に近づいたかを判定し、
前記過去情報を参照して、前記第１の無線通信装置と前記複数のセルを用いて通信を行った際の、前記複数のセルに含まれるプライマリセルに関するセル情報を作成して、前記第２の無線通信装置に送信し、
前記第２の無線通信装置から送信された、前記セル情報が示すプライマリセルの周波数での測定結果報告を送信するよう指示する測定設定を受信し、
前記測定設定で指示された前記プライマリセルの周波数での測定結果報告を、前記第２の無線通信装置に送信する無線通信方法。
【発明の詳細な説明】
【技術分野】
【０００１】
本発明は、無線通信装置が無線通信端末を無線通信装置の意図しないセルへハンドオーバさせることを防ぐ無線通信装置、無線通信端末、無線通信システム及び無線通信方法に関する。
【背景技術】
【０００２】
標準化団体３ＧＰＰ（The 3rd Generation Partnership Project）は、ＬＴＥ（Long Term Evolution）方式と互換性のある次世代の通信規格として、ＬＴＥ−Ａｄｖａｎｃｅｄ（Long Term Evolution Advanced：ＬＴＥ−Ａ）の標準化を進めている。ＬＴＥでは、ネットワーク（Evolved Universal Terrestrial Radio Access Network：E-UTRAN）の無線通信装置（以下「NE（Network Entity）」ともいう）は、１つ以上の通信セルを提供する。
【０００３】
無線通信装置は、無線通信基地局（E-UTRAN NodeB：eNB）や張り出し基地局（Remote Radio Head：RRH）、中継装置（Relay Node（RN）又はリピータ）、ホーム基地局（Home eNoede B：HeNB)等といった、無線通信端末（User Equipment：UE）のアクセスポイントとなる装置である。無線通信端末は、無線通信装置が提供する１つ以上の通信セルのうちの１つの通信セルに属する。なお、無線通信端末は、複数の周波数を使用する場合、１つの周波数において１つの通信セルに属する。以下、通信セルを単に「セル」といい、無線通信端末を単に「端末」という。
【０００４】
図２０は、HeNBが設置される状況の一例を示す図である。図２０に示した例では、無線通信装置NE1のエリア内に、複数のHeNB（HeNB1, HeNB2）が設置される。HeNBは、Ｓ１インタフェースを介してMME（Mobility Management Entity）と接続する。端末（UE）がHeNBにハンドオーバを行う場合、移動元無線通信装置（Source NE:SNE）は、Ｓ１インタフェースを介してHeNBにハンドオーバ要求メッセージを送信する。但し、同じCSG-ID（Closed Subscriber Group Identity）を持つHeNB間でのハンドオーバなど、MMEを介さずにハンドオーバできる場合は、Ｘ２インタフェースを介したハンドオーバもサポートされる。Ｓ１インタフェースは、無線通信装置とMMEの間を結ぶインタフェースである。Ｘ２インタフェースは、無線通信装置間を結ぶインタフェースである。
【０００５】
HeNBは、オープンセル、ＣＳＧ（Closed Subscriber Group）セル又はハイブリッドセルを提供する。オープンセルは、全端末がアクセス可能なセルである。ＣＳＧセルは、アクセスできる端末を制限したセルである。このため、端末は、メンバとして登録されているＣＳＧセルにしか接続できない。すなわち、端末は、緊急時を除き、受信品質の良いＣＳＧセルを検出しても、メンバでなければＣＳＧセルに接続できない。端末は、ＣＳＧセルの報知情報に含まれるＣＳＧ指示（CSG Indication）により、セルがＣＳＧセルかどうかを判断する。端末は、ＣＳＧ指示が真（TRUE）にセットされる場合、ＣＳＧセルと判断する。また、端末はＣＳＧセルの報知情報に含まれるＣＳＧ識別子（CSG Identity）により、アクセス可能かどうかを判断する。端末は、ネットワークから通知されるホワイトリスト（アクセス可能なＣＳＧセルのＣＳＧ識別子のリストとＰＬＭＮ(Public Land Mobile Network)識別子のリストを組み合わせた情報）と、検出したＣＳＧセルの報知情報に含まれるＣＳＧ識別子を照合する。端末は、当該検出したＣＳＧセルのＣＳＧ識別子がホワイトリストに含まれている場合、そのＣＳＧセルのメンバであると判断する。ハイブリッドセルは、オープンセルとＣＳＧセルの両方の要素を持つセルである。ハイブリッドセルは、報知情報において、ＣＳＧ指示が偽（FALSE）にセットされつつも、ＣＳＧ識別子が含まれるセルである。
【０００６】
全てのセルは、物理セル識別子（Physical Cell Identity：PCI）と呼ばれるセル識別情報を持つ。図２０に示すように、端末が現在接続している無線通信装置が提供するセル付近に、同じＰＣＩを持つＨｅＮＢ基地局が管理するセルが複数存在する場合がある。ここで、ＨｅＮＢ基地局が管理するセルがＣＳＧセルの場合を例にあげて説明する。端末がＣＳＧセルのＰＣＩを含めた測定結果報告（Measurement Report）を無線通信装置に送る場合、この無線通信装置は、ＣＳＧセルを一意に判断することができない場合がある。この場合、無線通信装置は、端末に当該セルの報知情報を受信させ、ＣＧＩの報告及びＣＳＧセルのメンバかどうかの報告をさせること（reportCGI）を目的とした測定設定（Measurement Configuation）を通知する。この測定設定は、端末にＣＧＩを報告させるセルのＰＣＩ、及び、目的がreportCGIであるという情報を含む。端末は、reportCGIを目的とした測定設定を受信すると、ＰＣＩで指示されたセルの報知情報であるＳＩＢ１（System Information Block Type1）を受信する。端末は、ＳＩＢ１に含まれるグローバルにユニークなセル識別子であるセルグローバル識別子（Cell Global Identity：CGI）を検出する。また、端末は、ＳＩＢ１に含まれるＣＳＧ識別子と、自身が保持するホワイトリストから、ＣＳＧセルのメンバであるかを判断する。端末は、当該セルのＣＧＩ、及び、ＣＳＧセルのメンバであるかの情報を含む測定結果報告（Measurement Report）を無線通信装置に送信する。無線通信装置は、それらの情報に基づいて、ハンドオーバ先の特定とハンドオーバの決定を判断する。
【０００７】
さらに、端末は、ＣＳＧセルに接続した際にセルの過去情報（Finger Print）を生成する。端末は、過去情報に基づいて、アクセス可能なＣＳＧセルに近づいたことを検出すると、接続中の無線通信装置に、「Proximity Indication」により通知する。無線通信装置は、「Proximity Indication」により通知された周波数が測定用の設定情報に含まれていない場合は、その周波数の測定設定メッセージを端末に送信する。これにより、端末は、アクセス可能なＣＳＧセルを素早く検知して測定することが可能となる。
【０００８】
図２１は、無線通信装置SNE1に接続中の端末UE1がＨｅＮＢ基地局THeNB1にハンドオーバする手順の一例を示すタイミングチャートである。ＨｅＮＢ基地局THeNB1は、ＣＳＧセルＡを管理している。端末UE1は、過去情報に基づいてＣＳＧセルＡに近づいたと判定すると、「Proximity Indication」によりセルＡの周波数を無線通信装置SNE1に通知する。無線通信装置SNE1は、セルＡの周波数の測定設定（Measurement Configuration）を端末UE1に送信する。端末UE1は、セルＡを検知し、セルＡの受信品質が測定結果報告（Measurement Report）を送るための条件を満たすと、セルＡのＰＣＩと受信品質などを含む測定結果報告（Measurement Report）を無線通信装置SNE1に送信する。無線通信装置SNE1は、測定結果報告に含まれるＰＣＩからセルを特定できない場合、当該ＰＣＩのセルＡに対するreportCGIを端末UE1に指示する。端末UE1は、reportCGIを指示されたセルＡのＣＧＩ報告及び、「メンバ（member）」の状態を含む測定結果報告を無線通信装置SNE1に送信する。無線通信装置SNE1は、その情報に基づいて、ＣＳＧセルＡへのハンドオーバを決定する。無線通信装置SNE1は、セルＡのＣＧＩを用いてハンドオーバ要求（Handover Request）メッセージをハンドオーバ先のＨｅＮＢ基地局（Target HeNB1：THeNB1）に送信する。ＨｅＮＢ基地局THeNB1は、セルＡへのハンドオーバ承認（admission）を行う。ＨｅＮＢ基地局THeNB1は、端末UE1に対するハンドオーバコマンドを含むハンドオーバ応答（Handover Response）メッセージを無線通信装置SNE1に送信する。無線通信装置SNE1は、セルＡへのハンドオーバを指示するハンドオーバコマンドを端末UE1に送信する。端末UE1は、セルＡへのハンドオーバを開始する。また、ＣＳＧセルとそれ以外のセルを区別するために、ＣＳＧセルのＰＣＩとそれ以外のセルのＰＣＩを区別するＰＣＩ区切り（PCI Range）がある。無線通信装置SNE1は、端末からの測定結果報告において「non-member」が通知された場合、ＰＣＩ区切りにより、ハンドオーバ先のセルがＣＳＧセルであると判断すると、ハンドオーバをさせないと判定する。
【０００９】
なお、上記手順は一例である。例えば「Proximity Indication」がない場合でも、無線通信装置からHeNB基地局へのハンドオーバは行われる。また、例えば、端末は、ハイブリッドセルに関しても同様の動作を行う。
【先行技術文献】
【非特許文献】
【００１０】
【非特許文献１】3GPP TS36.300 v10.4.0, “Evolved Universal Terrestrial Radio Access (E-UTRA) and Evolved Universal Terrestrial Radio Access Network(E-UTRAN); Overall description”
【非特許文献２】3GPP TS36.331 v10.2.0, “Evolved Universal Terrestrial Radio Access (E-UTRA) Radio Resource Control (RRC)”
【発明の概要】
【発明が解決しようとする課題】
【００１１】
図２２は、無線通信装置SNE1、ＨｅＮＢ基地局THeNB1及び端末UE1の配置の一例を示す図である。図２３は、無線通信装置SNE1が管理する各周波数のセルとＨｅＮＢ基地局THeNB1が管理する各周波数のセルの一例を示す図である。図２３に示すように、無線通信装置SNE1は、周波数ｆ１のCellA（CGI=100）と、周波数ｆ２のCellB（CGI=101）と、周波数ｆ３のCellC（CGI=102）を管理している。ＨｅＮＢ基地局THeNB1は、周波数ｆ１のCell1（CGI=10）と、周波数ｆ２のCell2（CGI=10）を管理している。Ｓ１インタフェースをＭＭＥとｅＮＢ（無線通信装置SNE1）の間で確立する場合、ｅＮＢ識別子を用いてＳ１インタフェースのセットアップが行われる。ｅＮＢが管理するセルはＣＧＩが異なるため、各セルを見分けることができる。一方、Ｓ１インタフェースをＭＭＥとＨｅＮＢ（ＨｅＮＢ基地局THeNB1）の間で確立する場合、ＨｅＮＢ識別子を用いてＳ１インタフェースのセットアップが行われる。ＨｅＮＢ識別子とＣＧＩは同じ値であるため、ＨｅＮＢが複数のセルを管理する場合、それらのセルは同じＣＧＩを持つことになり、各セルを見分けることができない。
【００１２】
図２４は、端末が無線通信装置SNE1からＨｅＮＢ基地局THeNB1にハンドオーバを行うタイミングチャートの一例を示す図である。図２４に示す例では、端末UE1は、無線通信装置SNE1のいずれかのセルに接続している。無線通信装置SNE1は、端末UE1に周波数ｆ２の測定設定（Measurement Configuration）を設定する。端末UE1は、Cell2の測定値が測定結果報告を送る条件を満たすと、Cell2の受信品質を含む測定結果報告（Measurement Report）を無線通信装置SNE1に送信する。ここで、無線通信装置SNE1は、Cell2がどのセルかを判別できない場合、Cell2に対するreportCGIを指示する測定設定（Measurement Configuration）を端末UE1に設定する。端末UE1は、Cell2のreportCGIを指示されると、Cell2のＳＩＢ１を受信する。端末UE1は、ＳＩＢ１に含まれるセルのグローバル識別子（Cell Global ID：CGI）を受信する。また、端末UE1は、ＳＩＢ１によりＣＳＧセルであることを通知されると、ＳＩＢ１に含まれるＣＳＧ識別子と自身の保持するホワイトリストを比較して、自身がＣＳＧセルのメンバであるかを判定する。端末UE1は、Cell2のＣＧＩとＣＳＧのメンバ情報を含めた測定結果報告（Measurement Report）を作成し、無線通信装置SNE1へ送信する。無線通信装置SNE1は、端末UE1から受信した測定結果報告（Measurement Report）に基づいてCell2へのハンドオーバを決定すると、Cell2のＣＧＩを用いてＨｅＮＢ基地局THeNB1にハンドオーバ要求メッセージ（Handover Request）を送信する。
【００１３】
ここで、Cell2のＣＧＩとCell1のＣＧＩは同一であるため、ＨｅＮＢ基地局THeNB1は、上記ハンドオーバ要求メッセージにおけるＣＧＩからCell1へのハンドオーバ要求メッセージであると誤判断することがある。この場合、ＨｅＮＢ基地局THeNB1は、Cell1へのハンドオーバを承認し、Cell1へのハンドオーバコマンドを含むハンドオーバ応答を無線通信装置SNE1に送信する。無線通信装置SNE1は、端末UE1にCell1へのハンドオーバコマンドを送信する。端末UE1は、Cell1へのハンドオーバコマンドを受信すると、Cell1へのハンドオーバを開始する。
【００１４】
このように、無線通信装置SNE1は、端末UE1におけるCell1の受信品質がわからない状況において、端末UE1をCell1へハンドオーバさせてしまうことがある。このとき、端末UE1が周波数において最も受信品質の良いセルに接続するとは限らなくなるため、端末UE1の受信品質が悪くなる可能性がある。また、端末UE1が送信する電力が他の端末の送信するデータに対して干渉電力となる可能性が高くなる。したがって、無線通信装置SNE1が端末UE1の受信品質を把握したセルに当該端末UE1をハンドオーバさせる方法が必要である。
【００１５】
本発明の目的は、ハンドオーバ先として望ましくないセルへのハンドオーバを防止可能な無線通信装置、無線通信端末、無線通信システム及び無線通信方法を提供することである。
【課題を解決するための手段】
【００１６】
本発明は、特定の端末のみにアクセスを許可するアクセス制限セルを提供可能な無線通信装置であって、ハンドオーバ先のセルとして受け入れないセルの報知情報に含めるアクセス制限の識別情報として、当該無線通信装置で使用されていない偽識別情報又は空情報を設定した前記報知情報を作成する報知情報作成部と、前記報知情報を端末に送信する送信部と、を備えた無線通信装置を提供する。
【００１７】
本発明は、無線通信装置と無線通信する無線通信端末であって、通信していない近接する無線通信装置からの報知情報を参照して、当該報知情報が示すセルへのアクセスが禁止されているかを判定するアクセス禁止判定部と、前記アクセス禁止判定部による判定結果が所定セルへのアクセス禁止を示すとき、前記アクセス禁止判定部による判定結果を含む、前記所定セルに係る測定結果報告を作成する測定結果報告作成部と、当該無線通信端末が接続中の無線通信装置に前記測定結果報告を送信する送信部と、を備えた無線通信端末を提供する。
【００１８】
本発明は、無線通信装置と無線通信する無線通信端末であって、通信していない近接する無線通信装置からの報知情報を参照して、当該報知情報が示すセルへのアクセスが禁止されているかを判定するアクセス禁止判定部と、前記アクセス禁止判定部による判定結果が所定セルへのアクセス禁止を示すとき、当該無線通信端末が前記所定セルにアクセスが許可された端末ではないことを示すパラメータを含む、前記所定セルに係る測定結果報告を作成する測定結果報告作成部と、当該無線通信端末が接続中の無線通信装置に前記測定結果報告を送信する送信部と、を備えた無線通信端末を提供する。
【００１９】
本発明は、無線通信端末が複数のセルを用いて無線通信装置と通信可能な無線通信システムであって、前記無線通信端末は、接続中の無線通信装置から送信された測定設定によって指示された周波数において検知したセルが測定結果報告を送信する条件を満たすと、当該セルの受信品質と、前記測定設定で指示された別の周波数における最も受信品質の良いセルの受信品質とを含む測定結果報告作成する測定結果報告作成部と、前記測定結果報告作成部が作成した測定結果報告を前記接続中の無線通信装置に送信する送信部と、を備え、前記接続中の無線通信装置は、前記無線通信端末への指示として、測定結果報告の送信を判定する周波数における測定設定に、前記測定結果報告を送る際に受信品質が最も良いセルの受信品質を含める別の周波数の指示を含めた測定設定を作成して、前記無線通信端末に送信する無線通信システムを提供する。
【００２０】
本発明は、無線通信端末がプライマリセル及びセカンダリセルを含む複数のセルを用いて無線通信装置と通信可能な無線通信システムであって、前記無線通信端末は、複数のセルを用いた通信を第１の無線通信装置と行った際の各セルに係る過去情報を作成して管理する情報管理部と、接続中の第２の無線通信装置から得られた情報と前記情報管理部が管理する過去情報から、前記無線通信端末が前記第１の無線通信装置に近づいたかを判定する近接判定部と、前記情報管理部が管理する過去情報を参照して、前記第１の無線通信装置と通信を行った際の複数のセルに関するセル情報を作成するセル情報作成部と、前記セル情報作成部が作成したセル情報及び前記第２の無線通信装置からの指示に基づく測定結果報告を、前記第２の無線通信装置にそれぞれ送信する送信部と、を備え、前記第２の無線通信装置は、前記無線通信端末への指示として、前記無線通信端末から送信された前記セル情報に含まれるプライマリセルの周波数での受信品質に加えて、前記セル情報に含まれるセカンダリセルの周波数での受信品質が最も良いセルの受信品質を含む測定結果を送信するよう指示する測定設定を作成して、前記無線通信端末に送信する無線通信システムを提供する。
【００２１】
本発明は、プライマリセル及びセカンダリセルを含む複数のセルを用いて無線通信装置と通信可能な無線通信端末であって、複数のセルを用いた通信を第１の無線通信装置と行った際の各セルに係る過去情報を作成して管理する過去情報管理部と、接続中の第２の無線通信装置から得られた情報と前記過去情報管理部が管理する過去情報から、当該無線通信端末が前記第１の無線通信装置に近づいたかを判定する近接判定部と、前記過去情報管理部が管理する過去情報を参照して、前記第１の無線通信装置と前記複数のセルを用いて通信を行った際の、前記複数のセルに関するセル情報を作成するセル情報作成部と、前記セル情報作成部が作成したセル情報を前記第２の無線通信装置に送信する送信部と、前記セル情報に含まれるプライマリセルの周波数での受信品質に加えて、前記セル情報に含まれるセカンダリセルの周波数での受信品質が最も良いセルの受信品質を含む測定結果報告を送信するよう指示する測定設定を作成して当該無線通信端末に送信する前記第２の無線通信装置から前記測定設定を受信すると、前記測定設定に応じた測定結果報告を作成する測定結果報告作成部と、を備えた無線通信端末を提供する。
【００２２】
本発明は、プライマリセル及びセカンダリセルを含む複数のセルを用いた通信が可能な無線通信端末と無線通信する無線通信装置であって、前記無線通信端末が複数のセルを用いた通信を行ったことのある他の無線通信装置に近接したとき、前記無線通信端末が作成して当該無線通信装置に送信する、前記複数のセルに関するセル情報に含まれるプライマリセルの周波数での受信品質に加えて、前記セル情報に含まれるセカンダリセルの周波数での受信品質が最も良いセルの受信品質を含む測定結果報告を送信するよう指示する測定設定を作成して、前記無線通信端末に送信する無線通信装置を提供する。
【００２３】
本発明は、プライマリセル及びセカンダリセルを含む複数のセルを用いて無線通信装置と通信可能な無線通信端末であって、複数のセルを用いた通信を第１の無線通信装置と行った際の各セルに係る過去情報を作成して管理する過去情報管理部と、接続中の第２の無線通信装置から得られた情報と前記過去情報管理部が管理する過去情報から、当該無線通信端末が前記第１の無線通信装置に近づいたかを判定する近接判定部と、前記過去情報管理部が管理する過去情報を参照して、前記第１の無線通信装置と前記複数のセルを用いて通信を行った際の、前記複数のセルに含まれるプライマリセルに関するセル情報を作成するセル情報作成部と、前記セル情報作成部が作成したセル情報及び前記第２の無線通信装置から指示された前記プライマリセルの周波数での測定結果報告を、前記第２の無線通信装置にそれぞれ送信する送信部と、を備えた無線通信端末を提供する。
【００２４】
本発明は、特定の端末のみにアクセスを許可するアクセス制限セルを提供可能な無線通信装置が行う無線通信方法であって、ハンドオーバ先のセルとして受け入れないセルの報知情報に含めるアクセス制限の識別情報として、当該無線通信装置で使用されていない偽識別情報又は空情報を設定した前記報知情報を作成し、前記報知情報を端末に送信する無線通信方法を提供する。
【００２５】
本発明は、無線通信装置と無線通信する無線通信端末が行う無線通信方法であって、通信していない近接する無線通信装置からの報知情報を参照して、当該報知情報が示すセルへのアクセスが禁止されているかを判定し、判定結果が所定セルへのアクセス禁止を示すとき、前記判定結果を含む、前記所定セルに係る測定結果報告を作成し、前記無線通信端末が接続中の無線通信装置に前記測定結果報告を送信する無線通信方法を提供する。
【００２６】
本発明は、無線通信装置と無線通信する無線通信端末が行う無線通信方法であって、通信していない近接する無線通信装置からの報知情報を参照して、当該報知情報が示すセルへのアクセスが禁止されているかを判定し、判定結果が所定セルへのアクセス禁止を示すとき、前記無線通信端末が前記所定セルにアクセスが許可された端末ではないことを示すパラメータを含む、前記所定セルに係る測定結果報告を作成し、前記無線通信端末が接続中の無線通信装置に前記測定結果報告を送信する無線通信方法を提供する。
【００２７】
本発明は、プライマリセル及びセカンダリセルを含む複数のセルを用いて無線通信装置と通信可能な無線通信端末が行う無線通信方法であって、複数のセルを用いた通信を第１の無線通信装置と行った際の各セルに係る過去情報を作成して管理し、接続中の第２の無線通信装置から得られた情報と前記過去情報から、前記無線通信端末が前記第１の無線通信装置に近づいたかを判定し、前記過去情報を参照して、前記第１の無線通信装置と前記複数のセルを用いて通信を行った際の、前記複数のセルに関するセル情報を作成して、前記第２の無線通信装置に送信し、前記第２の無線通信装置から送信された、前記セル情報が示すプライマリセルの周波数での受信品質に加えて、前記セル情報に含まれるセカンダリセルの周波数での受信品質が最も良いセルの受信品質を含む測定結果報告を送信するよう指示する測定設定を受信し、前記測定設定で指示された前記プライマリセルの周波数での受信品質と、セカンダリセルの周波数の最も良い受信品質と、を含む測定結果報告を、前記第２の無線通信装置に送信する無線通信方法を提供する。
【００２８】
本発明は、プライマリセル及びセカンダリセルを含む複数のセルを用いた通信が可能な無線通信端末と無線通信する無線通信装置が行う無線通信方法であって、前記無線通信端末が複数のセルを用いた通信を行ったことのある他の無線通信装置に近接したとき、前記無線通信端末が作成して前記無線通信装置に送信する、前記複数のセルに関するセル情報に含まれるプライマリセルの周波数での受信品質に加えて、前記セル情報に含まれるセカンダリセルの周波数での受信品質が最も良いセルの受信品質を含む測定結果報告を送信するよう指示する測定設定を作成して、前記無線通信端末に送信する無線通信方法を提供する。
【００２９】
本発明は、プライマリセル及びセカンダリセルを含む複数のセルを用いて無線通信装置と通信可能な無線通信端末が行う無線通信方法であって、複数のセルを用いた通信を第１の無線通信装置と行った際の各セルに係る過去情報を作成して管理し、接続中の第２の無線通信装置から得られた情報と前記過去情報から、前記無線通信端末が前記第１の無線通信装置に近づいたかを判定し、前記過去情報を参照して、前記第１の無線通信装置と前記複数のセルを用いて通信を行った際の、前記複数のセルに含まれるプライマリセルに関するセル情報を作成して、前記第２の無線通信装置に送信し、前記第２の無線通信装置から送信された、前記セル情報が示すプライマリセルの周波数での測定結果報告を送信するよう指示する測定設定を受信し、前記測定設定で指示された前記プライマリセルの周波数での測定結果報告を、前記第２の無線通信装置に送信する無線通信方法を提供する。
【発明の効果】
【００３０】
本発明に係る無線通信装置、無線通信端末、無線通信システム及び無線通信方法によれば、ハンドオーバ先として望ましくないセルへのハンドオーバを防止できる。
【図面の簡単な説明】
【００３１】
【図１】第１の実施形態の無線通信システムにおいて、端末UE1が「Proximity Indication」を送信する際のタイミングチャートの一例を示す図
【図２】第１の実施形態の無線通信システムを構成する端末UE1のブロック図
【図３】第１の実施形態の無線通信システムを構成する無線通信装置SNE1のブロック図
【図４】第２の実施形態の無線通信システムにおいて、端末UE1が測定結果報告を送信する際のタイミングチャートの一例を示す図
【図５】第２の実施形態の無線通信システムを構成する端末UE1のブロック図
【図６】第２の実施形態における端末UE1の動作の一例を示すフローチャート
【図７】第２の実施形態の無線通信システムを構成する無線通信装置SNE1のブロック図
【図８】第２の実施形態の無線通信システムを構成するＨｅＮＢ基地局THeNB1のブロック図
【図９】第２の実施形態の無線通信システムにおいて、端末UE1が測定結果報告を送信する際のタイミングチャートの他の例を示す図
【図１０】第３の実施形態の無線通信システムにおいて、端末UE1が測定結果報告を送信する際のタイミングチャートの一例を示す図
【図１１】第３の実施形態の無線通信システムを構成する端末UE1のブロック図
【図１２】第３の実施形態の無線通信システムを構成する無線通信装置SNE1のブロック図
【図１３】第３の実施形態の無線通信システムを構成するＨｅＮＢ基地局THeNB1のブロック図
【図１４】第３の実施形態におけるＨｅＮＢ基地局THeNB1の動作の一例を示すフローチャート
【図１５】第４の無線通信システムにおいて、端末UE１が測定結果報告を送信する際のタイミングチャートの一例を示す図
【図１６】第４の実施形態の無線通信システムを構成する端末UE1のブロック図
【図１７】第４の実施形態における端末UE1の動作の一例を示すフローチャート
【図１８】第４の実施形態の無線通信システムを構成する無線通信装置SNE1のブロック図
【図１９】第４の実施形態の無線通信システムを構成するＨｅＮＢ基地局THeNB1のブロック図
【図２０】HeNBが設置される状況の一例を示す図
【図２１】無線通信装置SNE1に接続中の端末UE1がＨｅＮＢ基地局THeNB1にハンドオーバする手順の一例を示すタイミングチャート
【図２２】無線通信装置SNE1、HeNB基地局THeNB1及び端末UE1の配置の一例を示す図
【図２３】無線通信装置SNE1が管理する各周波数のセルとHeNB基地局THeNB1が管理する各周波数のセルの一例を示す図
【図２４】端末が無線通信装置SNE1からＨｅＮＢ基地局THeNB1にハンドオーバを行うタイミングチャートの一例を示す図
【発明を実施するための形態】
【００３２】
本発明に係る無線通信システムの実施の形態について、図面を参照して詳細に説明する。以下説明する実施形態の無線通信システムは、少なくとも１つの無線通信端末と、無線通信ネットワークを介して無線通信端末と通信可能な複数の無線通信装置とを備える。以下の説明では、無線通信端末を単に「端末」という。端末は、例えば携帯電話機である。また、以下の説明において、無線通信装置とは、無線通信基地局（E-UTRAN NodeB：eNB）、無線通信基地局から離れた位置に設置される張り出し基地局（Remote Radio Head：RRH）、無線通信基地局等と無線により接続される中継装置（リレーノード又はリピータ）、ＨｅＮＢ基地局、フェムト基地局及びピコ基地局等を総称した、端末が無線により通信可能な装置である。なお、張り出し基地局（RRH）は、無線通信基地局（eNB）の無線部（Radio Frequency部：ＲＦ部）と同様の機能を有し、光ファイバケーブル等の有線ケーブルで無線通信基地局（eNB）に接続されている。
【００３３】
無線通信システムは、３ＧＰＰ（The 3rd Generation Partnership Project）で規格化されているＬＴＥ又はＬＴＥ−Ａの移動通信技術を利用する。但し、無線通信システムが利用する移動通信技術は、上記規格に限られず、無線ＬＡＮ（Wireless Local Area Network）、ＩＥＥＥ８０２.１６、ＩＥＥＥ８０２.１６ｅ若しくはＩＥＥＥ８０２.１６ｍ等のＷｉＭＡＸ（Worldwide Interoperability for Microwave Access）、３ＧＰＰ２、ＳＡＥ（System Architecture Evolution）、ＵＭＴＳ(Universal Mobile Telecommunications System)、又は第四世代移動通信規格であっても良い。
【００３４】
各無線通信装置は、少なくとも１つの通信セルを構成する。通信セルは、地理的エリアに対して割り当てられた識別子又は当該地理的エリアで用いられる周波数の相違に基づいて、端末がユニークに識別できる無線ネットワークオブジェクトをいう。
【００３５】
以下の説明では、通信セルを単に「セル」という。１つの無線通信装置によって、１つ以上のキャリア周波数の各々につき、１つ以上のセルが構成される。なお、上記構成は基本概念であり、無線通信装置が他の無線通信装置と協調して１つのセルを構成しても良い。また、端末は、無線通信装置が構成する少なくとも１つのセルを利用して通信する。
【００３６】
以下、第１〜第４の実施形態の無線通信システムについて順に説明する。
【００３７】
（第１の実施形態）
図１〜図３を参照して、第１の実施形態の無線通信システムについて説明する。第１の実施形態の無線通信システムは、無線通信端末（端末）及び無線通信装置から構成される。端末は、ダウンリンクで無線通信装置からセル毎に送信された参照信号を受信して、定められた計算式に基づいて導出される測定結果を無線通信装置に報告する。無線通信装置は、各端末に対して無線リソース（例えば、周波数領域又は時間領域での周波数帯域）の割り当て及び管理を行い、端末のための無線アクセスネットワークのアクセスポイントの役割を有する。また、無線通信装置は、端末からの測定結果報告に基づいて他のセルへのハンドオーバが必要と判断した際にハンドオーバ処理を行う機能を有する。
【００３８】
図１は、第１の実施形態の無線通信システムにおいて、端末UE1が「Proximity Indication」を送信する際のタイミングチャートの一例を示す図である。図１に示すように、端末UE1は、ＨｅＮＢ基地局が管理するPCell（Primary Cell）とSCell（Secondary Cell）を使用してキャリアアグリゲーションを行った際に、過去情報（Finger Print）を作成する。なお、端末UE1は、ＨｅＮＢ基地局が提供するセルがＣＳＧセル又はハイブリッドセルの場合にのみ過去情報を作成してもよい。端末UE1は、過去情報に基づいて、以前接続したセルに近づいたかどうかを判定する。なお、以前接続したセルとは、端末UE1が接続することを許可されたセルである。端末UE1は、以前接続したセルに近づいたと判定すると、接続しているセル（Serving Cell、以下「自セル」という）を提供する無線通信装置（Source Network Entity：SNE1）に、PCellの情報から「Proximity Indication」を作成し、無線通信装置SNE1に送信する。無線通信装置SNE1は、端末UE1から「Proximity Indication」を受信し、この「Proximity Indication」に含まれる周波数を端末UE1に測定させるための測定設定（Measurement Configuration）を作成する。次に、無線通信装置SNE1は、作成した測定設定（Measurement Configuration）を端末UE1に送信する。端末UE1は、測定設定（Measurement Configuration）に基づき測定を行う。
【００３９】
このように、端末UE1は、PCellの情報から作成された「Proximity Indication」を無線通信装置SNE1に送信するため、SCellに対する測定設定（Measurement Configuration）を無線通信装置SNE1から受信しない。その結果、端末UE1は、SCellに対する測定結果報告（Measurement Report）を無線通信装置SNE1に送信しない。したがって、無線通信装置SNE1がSCellの受信品質を含む測定結果報告を元にハンドオーバを決定し、意図せずPCellへのハンドオーバを端末UE1に指示してしまうことを防ぐことができる。
【００４０】
［第１の実施形態の端末UE1の構成］
図２は、第１の実施形態の無線通信システムを構成する端末UE1のブロック図である。図２に示すように、第１の実施形態の端末UE1は、受信部１０１と、制御部１０３と、送信部１０５とを備える。制御部１０３は、過去情報管理部１１１と、Proximity検知部１１３と、Proximity Indication作成部１１５と、ホワイトリスト管理部１１７と、ＣＳＧメンバ判定部１１９と、測定管理部１２１と、測定結果報告作成部１２３とを有する。なお、Proximity Indication作成部１１５は、PCell選択部１２５を含む。
【００４１】
受信部１０１は、制御部１０３からの指示に応じて、端末UE1が接続しているセルのダウンリンクを介して、報知情報又は個別制御情報等の制御情報を受信する。受信部１０１は、受信した報知情報及び個別制御情報等を制御部１０３へ出力する。また、受信部１０１は、制御部１０３の測定管理部１２１からの指示に応じて、参照信号（例えば、セル参照信号（Cell Reference Signal：CRS））の受信又は受信信号強度（Received Signal Strength Indication：RSSI）の測定等を行う。受信部１０１は、受信した参照信号又はRSSI等の測定結果を制御部１０３の測定管理部１２１に出力する。
【００４２】
制御部１０３は、受信部１０１に報知情報又は個別制御情報等の受信を指示する。制御部１０３には、受信部１０１が受信した報知情報又は個別制御情報等の制御情報が入力される。制御部１０３は、個別制御情報に測定設定が含まれる場合、測定管理部１２１に測定設定を出力する。また、測定設定にreportCGIが指示されている場合、制御部１０３は、測定設定で指示される対象となるセルの報知情報の１つであるＳＩＢ１の受信を受信部１０１に指示する。制御部１０３は、reportCGIの指示に対応したＳＩＢ１が入力され、ＳＩＢ１にＣＳＧ識別子が含まれると、ＣＳＧ識別子をＣＳＧメンバ判定部１１９に出力する。なお、制御部１０３は、ホワイトリスト管理部１１７からＰＬＭＮ識別子を出力するよう指示されると、ＳＩＢ１に含まれるＰＬＭＮ識別子を出力する。なお、ＰＬＭＮ識別子は、オペレータを判別するための識別子である。制御部１０３は、ＣＳＧメンバ判定部１１９から入力されたＣＳＧ識別子と、「メンバ（member）」の状態と、ＳＩＢ１に含まれているＣＧＩと、ＰＣＩ（Physical Cell Identity）とを測定結果報告作成部１２３に出力する。なお、「メンバ（member）」の状態とは、端末UE1がＣＳＧのメンバである（member）か、メンバではない（non-member）かの判断結果である。また、制御部１０３は、ＳＩＢ１にＣＳＧ識別子が含まれない場合、ＳＩＢ１に含まれているＣＧＩと、ＰＣＩとを測定結果報告作成部１２３に出力する。
【００４３】
制御部１０３は、ＳＩＢ１にＣＳＧ識別子が含まれている場合、すなわち、ＣＳＧセル又はハイブリッドセルに接続したときに、過去情報（Finger Print）を作成するよう過去情報管理部１１１に指示する。制御部１０３は、個別制御情報（RRC Connection Reconfiguration）において、「Proximity Indication」を送信するか否かを示すパラメータ「proximityIndicationEUTRA」が「Enable」に設定されている場合、「Proximity Indication」を送るべきか判断するようにProximity検知部１１３に通知する。制御部１０３は、個別制御情報を受信するとその応答メッセージを作成し、送信部１０５へ出力する。
【００４４】
以下、制御部１０３が有する各構成要素について説明する。
【００４５】
過去情報管理部１１１は、制御部１０３から過去情報（Finger Print）を作成するよう指示されると、接続しているセルから過去情報（Finger Print）を作成する。過去情報管理部１１１は、例えば、接続しているセル、隣接するセルの情報、及び、周波数情報などを一緒に管理する。さらに、過去情報管理部１１１は、接続しているセルがPCell（Primary Cell）であるか、キャリアアグリゲーションのSCell（Secondary Cell）であるかを区別して保持する。なお、単独で接続しているセルはPCellとして管理する。過去情報管理部１１１は、Proximity検知部１１３からの通知に応じて、保持している情報をProximity検知部１１３に出力する。過去情報管理部１１１は、PCell選択部１２５からセルがPCellかSCellかをたずねられると、PCellかSCellかを通知する。
【００４６】
Proximity検知部１１３は、制御部１０３から「Proximity Indication」を送るか判断するように通知されると、過去情報管理部１１１に管理している情報を出力するように通知する。Proximity検知部１１３は、過去情報管理部１１１から入力された過去情報や、例えば、周囲のセルの状況などから、ＣＳＧセル又はハイブリッドセルに近づいたかどうかを検知する。Proximity検知部１１３は、過去情報に記載されたＣＳＧセル又はハイブリッドセルに近づいたと検知すると、検知したＣＳＧセル又はハイブリッドセルに対応する「Proximity Indication」を作成するようProximity Indication作成部１１５に指示する。
【００４７】
Proximity Indication作成部１１５は、Proximity検知部１１３から指示されたＣＳＧセル又はハイブリッドセルの情報を、Proximity Indication作成部１１５のPCell選択部１２５に出力する。Proximity Indication作成部１１５は、PCell選択部１２５から出力された周波数に基づいて「Proximity Indication」を作成し、送信部１０５へ出力する。Proximity Indication作成部１１５は、PCell選択部１２５から周波数の入力がない場合は、「Proximity Indication」を作成しない。
【００４８】
Proximity Indication作成部１１５のPCell選択部１２５は、入力されたセルがPCellであったかどうかを過去情報管理部１１１に確認する。PCell選択部１２５は、入力されたセルがPCellであると過去情報管理部１１１から入力された場合、当該セルの周波数をProximity Indication作成部１１５に出力する。PCell選択部１２５は、入力されたセルがPCellではなかった場合、Proximity Indication作成部１１５に周波数を出力しない。このようにすることで、PCell以外のセルに対する測定設定を無線通信装置に要求しないですむため、無線通信装置が意図しないセル（PCell）へのハンドオーバを防ぐことができる。
【００４９】
ホワイトリスト管理部１１７は、制御部１０３から入力されたホワイトリストを管理する。ホワイトリスト管理部１１７は、ＣＳＧメンバ判定部１１９からの指示に応じてホワイトリストを出力する。
【００５０】
ＣＳＧメンバ判定部１１９は、制御部１０３からＣＳＧ識別子が入力されると、ホワイトリスト管理部１１７にホワイトリストを出力するよう指示する。ＣＳＧメンバ判定部１１９は、ホワイトリスト管理部１１７から入力されたホワイトリストに制御部１０３から入力されたＣＳＧ識別子が含まれるかを照合する。なお、ＣＳＧメンバ判定部１１９は、必要である場合、制御部１０３にＰＬＭＮ識別子の出力を指示し、ホワイトリストと入力されたＣＳＧ識別子の照合に使用する。ＣＳＧメンバ判定部１１９は、制御部１０３から入力されたＣＳＧ識別子がホワイトリストに合致すると判定した場合、ＣＳＧ識別子とメンバである（member）ことを制御部１０３に出力する。ＣＳＧメンバ判定部１１９は、制御部１０３から入力されたＣＳＧ識別子がホワイトリストに合致しないと判定した場合、ＣＳＧ識別子とメンバではない（non-member）ことを制御部１０３に出力する。
【００５１】
測定管理部１２１は、測定設定に基づき、セルの受信品質の測定を受信部１０１に出力する。測定管理部１２１は、受信部１０１から入力されたセルの受信品質に基づいて、測定結果報告を送ると判断する。測定管理部１２１は、測定結果報告を送ると判断すると、受信部１０１から入力されたセルの受信品質を測定結果報告作成部１２３に出力する。また、測定管理部１２１は、受信部１０１から入力されたセルの受信品質を管理する。
【００５２】
測定結果報告作成部１２３は、測定管理部１２１から測定結果報告を作成するように指示されると、入力されたセルの受信品質から測定結果報告を作成する。また、測定結果報告作成部１２３は、制御部１０３から入力された情報に基づいて測定結果報告を作成する。すなわち、測定結果報告作成部１２３は、制御部１０３から、ＰＣＩ、ＣＧＩ、ＣＳＧ識別子及びメンバである（member）かメンバではない（non-member）かの判定結果が入力されると、それらの情報も含めて測定結果報告を作成する。測定結果報告作成部１２３は、測定結果報告を送信部１０５に出力する。
【００５３】
送信部１０５は、制御部１０３、制御部１０３のProximity Indication作成部１１５、制御部１０３の測定結果報告作成部１２３から入力された情報を、接続しているセルに送信する。
【００５４】
［第１の実施形態の無線通信装置SNE1の構成］
図３は、第１の実施形態の無線通信システムを構成する無線通信装置SNE1のブロック図である。図３に示すように、第１の実施形態の無線通信装置SNE1は、無線受信部１５１と、無線送信部１５３と、制御部１５５とを備える。制御部１５５は、測定設定管理部１６１と、ハンドオーバ管理部１６３とを有する。
【００５５】
無線受信部１５１は、端末UE1から送信された個別制御情報に対する応答メッセージ、測定結果報告（Measurement Report）、「Proximity Indication」などを受信して、制御部１５５に出力する。
【００５６】
制御部１５５は、無線受信部１５１が受信した測定結果報告（Measurement Report）をハンドオーバ管理部１６３に出力する。制御部１５５は、無線受信部１５１が受信した「Proximity Indication」を測定設定管理部１６１に出力する。制御部１５５は、報知情報を作成し、無線送信部１５３に出力する。また、制御部１５５は、ハンドオーバ管理部１６３からの指示、測定設定管理部１６１から入力される情報などから個別制御情報を作成し、無線送信部１５３に出力する。
【００５７】
ハンドオーバ管理部１６３は、測定結果報告に基づいてハンドオーバ先のセルを決定する。ハンドオーバ管理部１６３は、ＣＳＧセル又はハイブリッドセルへのハンドオーバをサポートする場合、端末に「Proximity Indication」を送信させるために、パラメータ「proximityIndicationEUTRA」を「Enable」に設定した個別制御情報の作成を制御部１５５に指示する。
【００５８】
測定設定管理部１６１は、「Proximity Indication」に含まれる周波数の測定設定を作成し、制御部１５５に出力する。
【００５９】
無線送信部１５３は、個別制御情報、報知情報を端末UE1に送信する。
【００６０】
以上説明したように、本実施形態によれば、端末UE1は、PCellの情報から作成した「Proximity Indication」を送信するため、「Proximity Indication」により、無線通信装置SNE1からSCellに対する測定設定（Measurement Configuration）を受信しない。その結果、端末UE1は、SCellに対する測定結果報告を無線通信装置SNE1に送信しない。したがって、無線通信装置SNE1がSCellの受信品質を含む測定結果報告を元にハンドオーバを決定し、意図せずPCellへのハンドオーバを端末UE1に指示してしまうことを防ぐことができる。
【００６１】
なお、本実施形態では、端末UE1がPCellの情報から「Proximity Indication」を作成すると説明したが、端末UE1は、過去情報を作成する際にPCellのみを考慮するようにしてもよい。すなわち、端末UE1は、無線通信装置SNE1とは異なるHeNBが管理するPCellとSCellを使用してキャリアアグリゲーションを行った際に、PCellに対してのみ過去情報（Finger Print）を作成する。端末UE1は、過去情報から、以前接続したセルに近づいたと判定する。端末UE1は、自セルを提供する無線通信装置SNE1に、過去情報から作成した「Proximity Indication」を送信する。無線通信装置SNE1は、端末UE1から「Proximity Indication」を受信し、「Proximity Indication」に含まれる周波数を端末UE1に測定させるための測定設定（Measurement Configuration）を作成する。次に、無線通信装置SNE1は、この測定設定（Measurement Configuration）を端末UE1に送信する。端末UE1は、測定設定（Measurement Configuration）に基づき測定を行う。このようにすることで、端末UE1は、過去情報から作成した「Proximity Indication」により、無線通信装置SNE1からSCellに対する測定設定（Measurement Configuration）を受信しない。その結果、端末UE1は、SCellに対する測定結果報告を無線通信装置SNE1に送信しない。したがって、無線通信装置SNE1がSCellの受信品質を含む測定結果報告を元にハンドオーバを決定し、意図せずPCellへのハンドオーバ端末UE1に指示してしまうことを防ぐことができる。
【００６２】
（第２の実施形態）
図４〜図９を参照して、第２の実施形態の無線通信システムについて説明する。第２の実施形態の無線通信システムは、無線通信端末（端末）及び無線通信装置から構成される。端末は、ダウンリンクで無線通信装置からセル毎に送信された参照信号を受信して、定められた計算式に基づいて導出される測定結果を無線通信装置に報告する。無線通信装置は、各端末に対して無線リソース（例えば、周波数領域又は時間領域での周波数帯域）の割り当て及び管理を行い、端末のための無線アクセスネットワークのアクセスポイントの役割を有する。また、無線通信装置は、端末からの測定結果報告に基づいて他のセルへのハンドオーバが必要と判断した際にハンドオーバ処理を行う機能を有する。
【００６３】
無線通信装置の１つであるＨｅＮＢ基地局が複数のセルを管理する場合、セル間で同じＣＧＩが用いられる。このような場合、１つのセルは通常通り運用し、それ以外のセルを「Cell barred（アクセス禁止）」として運用する。そして、ＨｅＮＢ基地局は、通常通り運用するセルのみで端末と接続するか、通常通り運用するセルをPCellとし、それ以外のセルをSCellとしてキャリアアグリゲーションを運用する。図２２及び図２３に示した例であれば、ＨｅＮＢ基地局（THeNB1）は、周波数ｆ１のCell1（CGI=10）と周波数ｆ２のCell2（CGI=10）を管理する。この場合、周波数ｆ１のCell1は、キャリアアグリゲーションのPCell又は単一の接続するセルとして利用される。一方、周波数ｆ２のCell2は、キャリアアグリゲーションのSCellとして利用されるか、アクセス禁止（barred)として運用される。
【００６４】
図４は、第２の実施形態の無線通信システムにおいて、端末UE1が測定結果報告を送信する際のタイミングチャートの一例を示す図である。図４に示すように、端末UE1は、無線通信装置SNE1から周波数ｆ２の測定設定（Measurement Configuration）を受信する。端末UE1は、Cell2を検知し、Cell2の受信品質が測定結果報告を送る条件を満たすと、Cell2の受信品質を含む測定結果報告（Measurement Report）を無線通信装置SNE1に送信する。無線通信装置SNE1は、Cell2を特定できない場合、Cell2のreportCGIを指示する測定設定（Measurement Configuration）を端末UE1に送信する。このとき、ＨｅＮＢ基地局THeNB1は、Cell2の報知情報の１つであるＳＩＢ１のパラメータ「Cell barred」の値を「barred（アクセス禁止）」として報知する。端末UE1は、無線通信装置SNE1から、Cell2のreportCGIを指示されると、ＨｅＮＢ基地局THeNB1が管理しているCell2のＳＩＢ１を受信する。端末UE1は、ＳＩＢ１に含まれるＣＧＩを取得する。また、端末UE1は、ＳＩＢ１に含まれるパラメータ「Cell barred」の値が「アクセス禁止（barred）」であるかを確認する。端末UE1は、Cell2のＣＧＩ及びCell2がアクセス禁止（barred）であるかの確認結果を含む測定結果報告を無線通信装置SNE1に送信する。なお、測定結果報告には、ＣＳＧ識別子と「メンバ（member）」の状態が含まれても良い。無線通信装置SNE1は、測定結果報告に含まれるCell2のＳＩＢ１に含まれるパラメータ「Cell barred」の値の確認結果がアクセス禁止（barred）である場合、Cell2へはハンドオーバさせないと判断する。
【００６５】
このように、reportCGIに対する測定結果報告において、端末UE1がアクセス禁止（barred）の確認結果を無線通信装置SNE1に通知することで、無線通信装置SNE1が端末UE1を意図しないセルへハンドオーバさせることを防ぐことができる。また、無線通信装置SNE1がハンドオーバをさせないことを判定することができるため、ハンドオーバ要求メッセージとハンドオーバを拒否するハンドオーバ応答メッセージの送受信を省略することができ、ネットワークの負荷、及び、無線通信装置SNE1とＨｅＮＢ基地局THeNB1における処理負荷を軽減することができる。
【００６６】
[第２の実施形態の端末UE1の構成]
図５は、第２の実施形態の無線通信システムを構成する端末UE1のブロック図である。図５に示すように、第２の実施形態の端末UE1は、受信部２０１と、制御部２０３と、送信部２０５とを備える。制御部２０３は、測定管理部２１１と、測定結果報告作成部２１３と、ホワイトリスト管理部２１５と、ＣＳＧメンバ判定部２１７と、アクセス禁止判定部２１９とを有する。
【００６７】
受信部２０１は、制御部２０３からの指示に応じて、端末UE1が接続しているセルのダウンリンクを介して、報知情報又は個別制御情報等の制御情報を受信する。受信部２０１は、受信した報知情報及び個別制御情報等を制御部２０３へ出力する。また、受信部２０１は、制御部２０３の測定管理部２１１からの指示に応じて、参照信号（例えば、セル参照信号（Cell Reference Signal：CRS））の受信又は受信信号強度（Received Signal Strength Indication：RSSI）の測定等を行う。受信部２０１は、受信した参照信号又はRSSI等の測定結果を制御部２０３の測定管理部２１１に出力する。
【００６８】
制御部２０３は、受信部２０１に報知情報又は個別制御情報等の受信を指示する。制御部２０３には、受信部２０１が受信した報知情報又は個別制御情報等の制御情報が入力される。制御部２０３は、個別制御情報に含まれるホワイトリストをホワイトリスト管理部２１５に出力する。制御部２０３は、個別制御情報に測定設定が含まれる場合、測定管理部２１１に測定設定を出力する。また、測定設定にreportCGIが指示されている場合、制御部２０３は、測定設定で指示される対象となるセルの報知情報の１つであるＳＩＢ１の受信を受信部２０１に指示する。制御部２０３は、reportCGIの指示に対応したＳＩＢ１が入力されると、ＣＳＧ識別子がＳＩＢ１に含まれる場合、当該ＣＳＧ識別子をＣＳＧメンバ判定部２１７に出力する。なお、制御部２０３は、ホワイトリスト管理部２１５からＰＬＭＮ識別子を出力するよう指示されると、ＳＩＢ１に含まれるＰＬＭＮ識別子を出力する。なお、ＰＬＭＮ識別子は、オペレータを判別するための識別子である。制御部２０３は、ＳＩＢ１に含まれるパラメータ「Cell barred」の値をアクセス禁止判定部２１９に出力する。制御部２０３は、アクセス禁止判定部２１９から入力された「Cell barred」の値が「barred」であるかどうかの判定結果と、ＳＩＢ１に含まれているＣＧＩと、ＰＣＩ（Physical Cell Identity）とを測定結果報告作成部２１３に出力する。なお、制御部２０３は、ＣＳＧメンバ判定部２１７からＣＳＧ識別子と「メンバ（member）」の状態とが入力される場合、それらの値も一緒に測定結果報告作成部２１３に出力する。
【００６９】
以下、制御部２０３が有する各構成要素について説明する。
【００７０】
ホワイトリスト管理部２１５は、制御部２０３から入力されたホワイトリストを管理する。ホワイトリスト管理部２１５は、ＣＳＧメンバ判定部２１７からの指示に応じてホワイトリストを出力する。
【００７１】
ＣＳＧメンバ判定部２１７は、制御部２０３からＣＳＧ識別子が入力されると、ホワイトリスト管理部２１５にホワイトリストを出力するよう指示する。ＣＳＧメンバ判定部２１７は、ホワイトリスト管理部２１５から入力されたホワイトリストに制御部２０３から入力されたＣＳＧ識別子が合致するかを照合する。なお、ＣＳＧメンバ判定部２１７は、必要である場合、制御部２０３にＰＬＭＮ識別子の出力を指示し、ホワイトリストと入力されたＣＳＧ識別子の照合に使用する。ＣＳＧメンバ判定部２１７は、制御部２０３から入力されたＣＳＧ識別子がホワイトリストに合致すると判定した場合、ＣＳＧ識別子とメンバである（member）ことを制御部２０３に出力する。ＣＳＧメンバ判定部２１７は、制御部２０３から入力されたＣＳＧ識別子がホワイトリストに合致しないと判定した場合、ＣＳＧ識別子とメンバではない（non-member）ことを制御部２０３に出力する。
【００７２】
アクセス禁止判定部２１９は、制御部２０３から入力されたパラメータ「Cell barred」の値が「barred」である場合、制御部２０３にアクセス禁止（barred）であると出力する。アクセス禁止判定部２１９は、制御部２０３から入力されたパラメータ「Cell barred」の値が「not barred」である場合、制御部２０３にアクセス可能（not barred）であると出力する。
【００７３】
測定管理部２１１は、測定設定に基づき、セルの受信品質の測定を受信部２０１に出力する。測定管理部２１１は、受信部２０１から入力されたセルの受信品質に基づいて、測定結果報告を送ると判断する。測定管理部２１１は、測定結果報告を送ると判断すると、受信部２０１から入力されたセルの受信品質を測定結果報告作成部２１３に出力する。また、測定管理部２１１は、受信部２０１から入力されたセルの受信品質を管理する。
【００７４】
測定結果報告作成部２１３は、測定管理部２１１から測定結果報告を作成するように指示されると、入力されたセルの受信品質から測定結果報告を作成する。また、測定結果報告作成部２１３は、制御部２０３からＰＣＩ、ＣＧＩ及びアクセス禁止（barred）の確認結果が入力されると、それらの情報から測定結果報告を作成する。なお、測定結果報告作成部２１３は、制御部２０３からＣＳＧ識別子と「member」の状態を示す情報が一緒に入力される場合、それらの値も含めて測定結果報告を作成する。測定結果報告作成部２１３は、測定結果報告を送信部２０５に出力する。
【００７５】
送信部２０５は、制御部２０３、制御部２０３の測定結果報告作成部２１３から入力された情報を、接続しているセルに送信する。
【００７６】
[第２の実施形態の端末UE1の動作フローチャート]
図６は、第２の実施形態における端末UE1の動作の一例を示すフローチャートである。端末UE1は、無線通信装置SNE1から測定設定（Measurement Configuration）を受信する（ステップＳ２０１）。次に、端末UE1は、測定設定の指示に応じて、セルの受信品質の測定を行う（ステップＳ２０２）。次に、端末UE1は、測定したセルの受信品質が測定結果報告を報告する条件を満たすか否かを判断し（ステップＳ２０３）、条件を満たせばステップＳ２０４に進む。ステップＳ２０４では、端末UE1は、測定結果報告を報告する条件を満たしたセルの受信品質から測定結果報告を作成し、無線通信装置SNE1に送信する。次に、端末UE1は、無線通信装置SNE1から特定のセルのreportCGIを指示する測定設定を受信する（ステップＳ２０５）。なお、特定のセルは、物理セル識別子（ＰＣＩ）により指示される。
【００７７】
次に、端末UE1は、reportCGIを指示されたセルのＳＩＢ１を受信する（ステップＳ２０６）。次に、端末UE1は、受信したＳＩＢ１に含まれるパラメータ「Cell barred」の値がアクセス禁止（barred）を示しているかどうかを確認する（ステップＳ２０７）。受信したＳＩＢ１に含まれるパラメータ「Cell barred」の値がアクセス禁止（barred）を示している場合はステップＳ２０８に進み、アクセス可能（not barred）を示している場合はステップＳ２０９に進む。
【００７８】
ステップＳ２０８では、端末UE1は、reportCGIを指示されたセルのＰＣＩと、ＳＩＢ１に含まれるＣＧＩと、当該セルがアクセス禁止（barred）であることを含む測定結果報告を作成する。一方、ステップＳ２０９では、端末UE1は、reportCGIを指示されたセルのＰＣＩと、ＳＩＢ１に含まれるＣＧＩと、当該セルがアクセス可能（not barred）であることを含む測定結果報告を作成する。なお、測定結果報告に含まれるアクセス禁止(barred)であるかアクセス可能(not barred)であるかを示す情報は１ビットで指示してもよい。ステップＳ２０８又はステップＳ２０９の後、端末UE1は、測定結果報告を無線通信装置SNE1に送信する（ステップＳ２１０）。
【００７９】
なお、端末UE1は、reportCGIを指示されて受信するＳＩＢ１にＣＳＧ識別子が含まれる場合、ＣＳＧ識別子とホワイトリストを照合して、測定結果報告にはＣＳＧ識別子と「メンバ（member）」の状態を含めても良い。
【００８０】
[第２の実施形態の無線通信装置SNE1の構成]
図７は、第２の実施形態の無線通信システムを構成する無線通信装置SNE1のブロック図である。図７に示すように、第２の実施形態の無線通信装置SNE1は、無線受信部２５１と、ネットワーク用受信部２５３と、ネットワーク用送信部２５５と、無線送信部２５７と、制御部２５９とを備える。制御部２５９は、測定設定管理部２６１と、ハンドオーバ管理部２６３とを有する。なお、ハンドオーバ管理部２６３は、アクセス禁止判定部２６５を含む。
【００８１】
無線受信部２５１は、端末UE1から送信された個別制御情報に対する応答メッセージ、測定結果報告（Measurement Report）などを受信して、制御部２５９に出力する。
【００８２】
ネットワーク用受信部２５３は、ハンドオーバ応答（Handover Response）メッセージを受信して、制御部２５９に出力する。
【００８３】
ネットワーク用送信部２５５は、ハンドオーバ要求（Handover Request）メッセージを送信する。
【００８４】
制御部２５９は、無線受信部２５１が受信した測定結果報告（Measurement Report）をハンドオーバ管理部２６３に出力する。制御部２５９は、報知情報を作成し、無線送信部２５７に出力する。また、制御部２５９は、ハンドオーバ管理部２６３からの指示、測定設定管理部２６１から入力される情報などから個別制御情報を作成し、無線送信部２５７に出力する。
【００８５】
ハンドオーバ管理部２６３は、測定結果報告からセルを特定できない場合、当該セルのＣＧＩを報告させるための測定設定を作成するよう測定設定管理部２６１に指示する。ハンドオーバ管理部２６３は、測定結果報告からセルを特定できる場合、当該セルにハンドオーバさせるかを判断する。ハンドオーバ管理部２６３は、そのセルにハンドオーバさせると決定すると、当該セルに対するＣＳＧ識別子、メンバ（member）情報が測定結果報告に含まれる場合には、それらの情報を含むハンドオーバ要求メッセージを作成し、当該セルを管理するＨｅＮＢ基地局THeNB1にハンドオーバ要求メッセージを送信するようネットワーク用送信部２５５に出力する。このとき、ハンドオーバ管理部２６３は、測定結果報告に含まれるパラメータ「Cell barred」の値をアクセス禁止判定部２６５に出力する。ハンドオーバ管理部２６３は、アクセス禁止判定部２６５から当該セルに対してアクセス禁止（barred）であるという情報が入力されると、当該セルへのハンドオーバを行わないと判断する。また、ハンドオーバ管理部２６３は、端末UE1からの測定結果報告で「non-member」が通知された場合、ＰＣＩ区切り（PCI Range）により、ハンドオーバ先のセルがＣＳＧセルで判断すると、ハンドオーバを行わないと判断する。
【００８６】
また、ハンドオーバ管理部２６３は、ハンドオーバ応答メッセージにハンドオーバを承認するという指示が含まれている場合、ハンドオーバ応答メッセージに含まれるハンドオーバコマンドを、端末UE1に送信するため、制御部２５９に出力する。一方、ハンドオーバ応答メッセージにハンドオーバを承認しないという指示が含まれている場合、ハンドオーバ管理部２６３は、接続中のセル以外へのハンドオーバに切り替えるか、当該セルへの接続を維持させる。
【００８７】
アクセス禁止判定部２６５は、ハンドオーバ管理部２６３から入力されたパラメータ「Cell barred」の値がアクセス禁止（barred）を示している場合、当該セルに対してアクセス禁止（barred）であるという情報をハンドオーバ管理部２６３に出力する。
【００８８】
測定設定管理部２６１は、測定設定を作成し、制御部２５９に出力する。また、測定設定管理部２６１は、ハンドオーバ管理部２６３からの指示に応じて測定設定を作成し、制御部２５９に出力する。
【００８９】
無線送信部２５７は、個別制御情報、報知情報を端末UE1に送信する。
【００９０】
[第２の実施形態のHeNB基地局THeNB1の構成]
図８は、第２の実施形態の無線通信システムを構成するＨｅＮＢ基地局THeNB1のブロック図である。図８に示すように、第２の実施形態のＨｅＮＢ基地局THeNB1は、無線受信部２８１と、ネットワーク用受信部２８３と、ネットワーク用送信部２８５と、無線送信部２８７と、制御部２８９とを備える。制御部２８９は、報知情報管理部２９１と、ハンドオーバ管理部２９３とを有する。
【００９１】
無線受信部２８１は、端末UE1から送信された個別制御情報に対する応答メッセージ、測定結果報告（Measurement Report）などを受信して、制御部２８９に出力する。
【００９２】
ネットワーク用受信部２８３は、ハンドオーバ要求（Handover Request）メッセージを受信して、制御部２８９に出力する。
【００９３】
ネットワーク用送信部２８５は、ハンドオーバ応答（Handover Response）メッセージを送信する。
【００９４】
制御部２８９は、ネットワーク用受信部２８３から入力されたハンドオーバ要求メッセージをハンドオーバ管理部２９３に出力する。制御部２８９は、セルをアクセス禁止（barred）として運用する場合又はキャリアアグリゲーションのSCellとしてのみ使用する場合、報知情報管理部２９１に当該セルをアクセス禁止として運用することを通知する。
【００９５】
報知情報管理部２９１は、セルをアクセス禁止として運用することを制御部２８９から入力されると、報知情報の１つであるＳＩＢ１のパラメータ「Cell barred」の値をアクセス禁止（barred）とした報知情報を作成する。報知情報管理部２９１は、作成した報知情報を無線送信部２８７に出力する。
【００９６】
ハンドオーバ管理部２９３は、制御部２８９から入力されたハンドオーバ要求メッセージの内容を確認し、当該メッセージ中にＣＳＧ識別子とメンバ（member）情報が含まれている場合、その情報に基づいて、ハンドオーバを受け入れるかを判定する。ハンドオーバ管理部２９３は、ＣＳＧセルとして運用している場合、自身が管理するＣＳＧに属さないＣＳＧ識別子が含まれていればハンドオーバを受け入れない。また、ハンドオーバ管理部２９３は、ＣＳＧセルとして運用している場合、「メンバではない（non-member）」ことが指示されれば、ハンドオーバを受け入れない。ハンドオーバ管理部２９３は、ハンドオーバを受け入れない（承認しない）と判定した場合、ハンドオーバを承認しないことを含むハンドオーバ応答メッセージを作成し、ネットワーク用送信部２８５に出力する。一方、ハンドオーバ管理部２９３は、ハンドオーバを承認すると判定した場合、端末UE1宛のハンドオーバコマンドを含むハンドオーバ応答メッセージを作成し、ネットワーク用送信部２８５に出力する。なお、ハンドオーバ管理部２９３は、自身の無線リソースの状況も考慮してハンドオーバを受け入れるかを判定する。
【００９７】
無線送信部２８７は、個別制御情報、報知情報を端末UE1に送信する。
【００９８】
以上説明したように、本実施形態によれば、reportCGIに対する測定結果報告において、端末UE1がアクセス禁止（barred）の確認結果を無線通信装置SNE1に通知することで、無線通信装置SNE1が端末UE1を意図しないセルへハンドオーバさせることを防ぐことができる。
【００９９】
なお、本実施形態では、測定結果報告にパラメータ「Cell barred」を設けて、セルへのアクセス禁止（barred）を通知すると説明したが、別の方法でアクセス禁止（barred）を通知してもよい。例えば、reportCGIに対する測定結果報告において、ＣＳＧセルのメンバであるかの判定結果を通知するパラメータを利用して、図９に示すように、ＣＳＧセルのメンバであるかどうかにかかわらず、セルがアクセス禁止（barred）の場合はメンバではない（non-member）と通知する。
【０１００】
図９は、第２の実施形態の無線通信システムにおいて、端末UE1が測定結果報告を送信する際のタイミングチャートの他の例を示す図である。端末UE1は、無線通信装置SNE1から周波数ｆ２の測定設定（Measurement Configuration）を受信する。端末UE1は、Cell2を検知し、Cell2の受信品質が測定結果報告を送る条件を満たすと、Cell2の受信品質を含む測定結果報告（Measurement Report）を無線通信装置SNE1に送信する。無線通信装置SNE1は、Cell2を特定できない場合、Cell2のreportCGIを指示する測定設定（Measurement Configuration）を端末UE1に送信する。このとき、ＨｅＮＢ基地局THeNB1は、Cell2の報知情報の１つであるＳＩＢ１のパラメータ「Cell barred」の値をアクセス禁止（barred）として報知する。端末UE1は、無線通信装置SNE1から、Cell2のreportCGIを指示されると、ＨｅＮＢ基地局THeNB1が管理しているCell2のＳＩＢ１を受信する。端末UE1は、ＳＩＢ１に含まれるＣＧＩを取得する。また、端末UE1は、ＳＩＢ１に含まれるパラメータ「Cell barred」の値が「アクセス禁止（barred）」であるかを確認する。端末UE1は、Cell2がアクセス禁止（barred）であると確認すると、Cell2のＣＧＩ及び端末UE1がＣＳＧセルのメンバではない（non-member）ことを含む測定結果報告を無線通信装置SNE1に送信する。無線通信装置SNE1は、測定結果報告に「ＣＳＧセルがメンバではない（non-member）」ことが含まれ、セルがＰＣＩ区切りによりＣＳＧであると判断する場合、Cell2へはハンドオーバさせないと判断する。なお、無線通信装置SNE1は、ＣＳＧ識別子とメンバではない（non-member）ことを含むハンドオーバ要求メッセージをＨｅＮＢ基地局THeNB1に送信することで、途中で経由するネットワークノード、例えばＭＭＥやHeNB GWがハンドオーバさせないと判断しても、ＨｅＮＢ基地局THeNB1がハンドオーバさせないと判断してもよい。こうすれば、従来のメッセージ構成を変えることなく、無線通信装置SNE1が端末UE1を意図しないセルへハンドオーバさせることを防ぐことができる。また、ＨｅＮＢ基地局THeNB1が、無線通信装置SNE1がCell2をＣＳＧセルであると判断できるように、Cell2のＰＣＩをＰＣＩ区切りによりＣＳＧセルであると判断できる値に設定してもよい。このようにすることで、無線通信装置SNE1においてハンドオーバを行わないと判断することができるため、ネットワークにおいて送受信されるシグナリング量を削減できるとともに、無線通信装置SNE1及びＨｅＮＢ基地局THeNB1の処理負荷を軽減することができる。
【０１０１】
（第３の実施形態）
図１０〜図１４を参照して、第３の実施形態の無線通信システムについて説明する。第３の実施形態の無線通信システムが第２の実施形態の無線通信システムと異なる点は、ＨｅＮＢ基地局THeNB1がＳＩＢ１に含めるＣＳＧ識別子を、偽ＣＳＧ識別子とすることである。この点以外は第２の実施形態と同様であり、第２実施形態と同一又は同等部分については説明を簡略化又は省略する。
【０１０２】
図１０は、第３の実施形態の無線通信システムにおいて、端末UE1が測定結果報告を送信する際のタイミングチャートの一例を示す図である。端末UE1は、無線通信装置SNE1から周波数ｆ２の測定設定（Measurement Configuration）を受信する。端末UE1は、Cell2を検知し、Cell2の受信品質が測定結果報告を送る条件を満たすと、Cell2の受信品質を含む測定結果報告（Measurement Report）を無線通信装置SNE1に送信する。無線通信装置SNE1は、Cell2を特定できない場合、Cell2のreportCGIを指示する測定設定（Measurement Configuration）を端末UE1に送信する。このとき、ＨｅＮＢ基地局THeNB1は、Cell2の報知情報の１つであるＳＩＢ１に含めるＣＳＧ識別子を、実際のＣＳＧ識別子とは異なり、当該ＨｅＮＢ基地局THeNB1で使用されていない「偽ＣＳＧ識別子（dummy CSG ID）」に設定する。端末UE1は、無線通信装置SNE1から、Cell2のreportCGIを指示されると、ＨｅＮＢ基地局THeNB1が管理しているCell2のＳＩＢ１を受信する。端末UE1は、ＳＩＢ１に含まれるＣＧＩを取得する。また、端末UE1は、ＳＩＢ１に含まれるＣＳＧ識別子と自身が保持するホワイトリストを照合し、ＣＳＧセルのメンバである（member）かどうかを判定する。端末UE1は、Cell2のＣＧＩ、ＳＩＢ１に含まれるＣＳＧ識別子（dummy CSG ID）、及び自身がＣＳＧセルのメンバである（member）かどうかの判定結果を含む測定結果報告を無線通信装置SNE1に送信する。なお、ＳＩＢ１に含まれるＣＳＧ識別子は偽ＣＳＧ識別子（dummy CSG ID）であるため、端末UE1は、ホワイトリストとの照合の結果、自身がＣＳＧセルのメンバではない（non-member）との判定結果を得る。無線通信装置SNE1は、測定結果報告に含まれるCell2のＣＧＩと、ＣＳＧ識別子と、メンバではない（non-member）ことを含むハンドオーバ要求メッセージをＨｅＮＢ基地局THeNB1に送信する。ＨｅＮＢ基地局THeNB1は、ハンドオーバ要求メッセージに含まれるパラメータ「ＣＳＧ識別子」の値が偽ＣＳＧ識別子（dummy CSG ID）であるため、ハンドオーバを拒否する。ＨｅＮＢ基地局THeNB1は、ハンドオーバ拒否を示す応答メッセージを無線通信装置SNE1に送信する。
【０１０３】
なお、ＨｅＮＢ基地局THeNB1は、セル毎に、偽ＣＳＧ識別子の値を変えることにより、ハンドオーバ要求メッセージに含まれるＣＳＧ識別子の値（偽ＣＳＧ識別子）によって、どのセルかを判定してもよい。この場合、ＨｅＮＢ基地局THeNB1は、どのセルに対するハンドオーバ要求かを判断することができるため、当該セルへのハンドオーバを受け入れるかどうかを判断する。ＨｅＮＢ基地局THeNB1は、Cell2へのハンドオーバを受け入れる場合、当該セルへのハンドオーバコマンドを含むハンドオーバ応答メッセージを無線通信装置SNE1に送信する。
【０１０４】
なお、ネットワークが、偽ＣＳＧ識別子の値を管理し、全端末のホワイトリストに含まれない値を「偽ＣＳＧ識別子（dummy CSG ID）」に設定してもよい。このようにすることで、無線通信装置SNE1が測定結果報告に偽ＣＳＧ識別子が含まれている場合、当該セルへのハンドオーバを行わないと判定することができる。なお、ここで全端末とは、ＰＬＭＮ内の全ての端末と解釈してもよい。また、全端末とは、ＨｅＮＢ基地局THeNB1を管理するＰＬＭＮ内の全ての端末と解釈してもよい。
【０１０５】
なお、無線通信装置SNE1から送信されるハンドオーバ要求メッセージを経由するネットワークノード、例えばＭＭＥやHeNB GWが偽ＣＳＧ識別子又はメンバではない（non-member）といったことに基づいて、ハンドオーバさせないと判断してもよい。ハンドオーバ要求に含まれるＣＳＧ識別子が偽ＣＳＧ識別子であるため、ＨｅＮＢ基地局THeNB1は、Cell1以外のセルに対するハンドオーバ要求であると判断することができる。したがって、無線通信装置SNE1が端末UE1を意図しないセルへハンドオーバさせることを防ぐことができる。
【０１０６】
なお、ＨｅＮＢ基地局THeNB1は、ＳＩＢ１に含めるＣＳＧ指示を真（true）にセットし、ＳＩＢ１にＣＳＧ識別子を何も含めないようにしてもよい。このようにしても、上記と同様に、無線通信装置SNE1が端末UE1を意図しないセルへハンドオーバさせることを防ぐことができる。
【０１０７】
なお、無線通信装置SNE1は、端末UE1からの測定結果報告に含まれるＣＳＧセルのメンバである（member）かの判定結果が「メンバではない（non-member）」の場合、Cell2へハンドオーバさせないと判断してもよい。このように、reportCGIに対する測定結果報告において、ＣＳＧセルのメンバではない（non-member）ことを通知することで、無線通信装置SNE1が端末UE1を意図しないセルへハンドオーバさせることを防ぐことができる。
【０１０８】
[第３の実施形態の端末UE1の構成]
図１１は、第３の実施形態の無線通信システムを構成する端末UE1のブロック図である。図１１に示すように第３の実施形態の端末UE1は、受信部３０１と、制御部３０３と、送信部３０５とを備える。制御部３０３は、測定管理部３１１と、測定結果報告作成部３１３と、ホワイトリスト管理部３１５と、ＣＳＧメンバ判定部３１７とを有する。
【０１０９】
受信部３０１は、制御部３０３からの指示に応じて、端末UE1が接続しているセルのダウンリンクを介して、報知情報又は個別制御情報等の制御情報を受信する。受信部３０１は、受信した報知情報及び個別制御情報等を制御部３０３へ出力する。また、受信部３０１は、制御部３０３の測定管理部３１１からの指示に応じて、参照信号（例えば、セル参照信号（Cell Reference Signal：CRS））の受信又は受信信号強度（Received Signal Strength Indication：RSSI）の測定等を行う。受信部３０１は、受信した参照信号又はRSSI等の測定結果を制御部３０３の測定管理部３１１に出力する。
【０１１０】
制御部３０３は、受信部３０１に報知情報又は個別制御情報等の受信を指示する。制御部３０３には、受信部３０１が受信した報知情報又は個別制御情報等の制御情報が入力される。制御部３０３は、個別制御情報に含まれるホワイトリストをホワイトリスト管理部３１５に出力する。制御部３０３は、個別制御情報に測定設定が含まれる場合、測定管理部３１１に測定設定を出力する。また、測定設定にreportCGIが指示されている場合、制御部３０３は、測定設定で指示される対象となるセルの報知情報の１つであるＳＩＢ１の受信を受信部３０１に指示する。制御部３０３は、reportCGIの指示に対応したＳＩＢ１が入力されると、ＣＳＧ識別子がＳＩＢ１に含まれる場合、当該ＣＳＧ識別子をＣＳＧメンバ判定部３１７に出力する。なお、制御部３０３は、ホワイトリスト管理部３１５からＰＬＭＮ識別子を出力するよう指示されると、ＳＩＢ１に含まれるＰＬＭＮ識別子を出力する。なお、ＰＬＭＮ識別子は、オペレータを判別するための識別子である。制御部３０３は、ＣＳＧメンバ判定部３０７から入力されたＣＳＧ識別子と、「member」の状態（すなわち、メンバである（member）かメンバではない（non-member）かの判定結果）と、ＳＩＢ１に含まれているＣＧＩと、ＰＣＩ（Physical Cell Identity）とを測定結果報告作成部３１３に出力する。
【０１１１】
以下、制御部３０３が有する各構成要素について説明する。
【０１１２】
ホワイトリスト管理部３１５は、制御部３０３から入力されたホワイトリストを管理する。ホワイトリスト管理部３１５は、ＣＳＧメンバ判定部３１７からの指示に応じてホワイトリストを出力する。
【０１１３】
ＣＳＧメンバ判定部３１７は、制御部３０３からＣＳＧ識別子が入力されると、ホワイトリスト管理部３１５にホワイトリストを出力するよう指示する。ＣＳＧメンバ判定部３１７は、ホワイトリスト管理部３１５から入力されたホワイトリストに制御部３０３から入力されたＣＳＧ識別子が含まれるかを照合する。なお、ＣＳＧメンバ判定部３１７は、必要である場合、制御部３０３にＰＬＭＮ識別子の出力を指示し、ホワイトリストと入力されたＣＳＧ識別子の照合に使用する。ＣＳＧメンバ判定部３１７は、制御部３０３から入力されたＣＳＧ識別子がホワイトリストに合致すると判定した場合、ＣＳＧ識別子とメンバである（member）ことを制御部３０３に出力する。ＣＳＧメンバ判定部３１７は、制御部３０３から入力されたＣＳＧ識別子がホワイトリストに合致しないと判定した場合、ＣＳＧ識別子とメンバではない（non-member）ことを制御部３０３に出力する。
【０１１４】
測定管理部３１１は、測定設定に基づき、セルの受信品質の測定を受信部３０１に出力する。測定管理部３１１は、受信部３０１から入力されたセルの受信品質に基づいて、測定結果報告を送ると判断する。測定管理部３１１は、測定結果報告を送ると判断すると、受信部３０１から入力されたセルの受信品質を測定結果報告作成部３１３に出力する。また、測定管理部３１１は、受信部３０１から入力されたセルの受信品質を管理する。
【０１１５】
測定結果報告作成部３１３は、測定管理部３１１から測定結果報告を作成するように指示されると、入力されたセルの受信品質から測定結果報告を作成する。また、測定結果報告作成部３１３は、制御部３０３からＰＣＩ、ＣＧＩ、ＣＳＧ識別子及びメンバである（member）か否かの判定結果が入力されると、それらの情報から測定結果報告を作成する。測定結果報告作成部３１３は、測定結果報告を送信部３０５に出力する。
【０１１６】
送信部３０５は、制御部３０３、制御部３０３の測定結果報告作成部３１３から入力された情報を、接続しているセルに送信する。
【０１１７】
[第３の実施形態の無線通信装置SNE1の構成]
図１２は、第３の実施形態の無線通信システムを構成する無線通信装置SNE1のブロック図である。図１２に示すように、第３の実施形態の無線通信装置SNE1は、無線受信部３５１と、ネットワーク用受信部３５３と、ネットワーク用送信部３５５と、無線送信部３５７と、制御部３５９とを備える。制御部３５９は、測定設定管理部３６１と、ハンドオーバ管理部３６３とを有する。
【０１１８】
無線受信部３５１は、端末UE1から送信された個別制御情報に対する応答メッセージ、測定結果報告（Measurement Report）などを受信して、制御部３５９に出力する。
【０１１９】
ネットワーク用受信部３５３は、ハンドオーバ応答（Handover Response）メッセージを受信して、制御部３５９に出力する。
【０１２０】
ネットワーク用送信部３５５は、ハンドオーバ要求（Handover Request）メッセージを送信する。
【０１２１】
制御部３５９は、無線受信部３５１が受信した測定結果報告（Measurement Report）をハンドオーバ管理部３６３に出力する。制御部３５９は、報知情報を作成し、無線送信部３５７に出力する。また、制御部３５９は、ハンドオーバ管理部３６３からの指示、測定設定管理部３６１から入力される情報などから個別制御情報を作成し、無線送信部３５７に出力する。制御部３５９は、ハンドオーバ応答メッセージを受信するとハンドオーバ管理部３６３に出力する。
【０１２２】
ハンドオーバ管理部３６３は、測定結果報告からセルを特定できない場合、当該セルのＣＧＩを報告させるための測定設定を作成するよう測定設定管理部３６１に指示する。ハンドオーバ管理部３６３は、測定結果報告からセルを特定できる場合、当該セルにハンドオーバさせるかを判断する。ハンドオーバ管理部３６３は、そのセルにハンドオーバさせると決定すると、当該セルに対するＣＳＧ識別子、メンバ（member）情報が測定結果報告に含まれる場合には、それらの情報を含むハンドオーバ要求メッセージを作成し、当該セルを管理するＨｅＮＢ基地局THeNB1に送信するようネットワーク用送信部３５５に出力する。また、ハンドオーバ管理部は、端末からの測定結果報告で「non-member」が通知された場合、ＰＣＩ区切り（PCI Range）により、ハンドオーバ先のセルがＣＳＧセルで判断すると、ハンドオーバを行わないと判断する。
【０１２３】
また、ハンドオーバ管理部３６３は、ハンドオーバ応答メッセージにハンドオーバを承認するという指示が含まれている場合、ハンドオーバ応答メッセージに含まれるハンドオーバコマンドを、端末UE1に送信するため、制御部３５９に出力する。一方、ハンドオーバ応答メッセージにハンドオーバを承認しないという指示が含まれている場合、ハンドオーバ管理部３６３は、接続中のセル以外へのハンドオーバに切り替えるか、当該セルへの接続を維持させる。
【０１２４】
測定設定管理部３６１は、測定設定を作成し、制御部３５９に出力する。また、測定設定管理部３６１は、ハンドオーバ管理部３６３からの指示に応じて測定設定を作成し、制御部３５９に出力する。
【０１２５】
無線送信部３５７は、個別制御情報、報知情報を端末UE1に送信する。
【０１２６】
[第３の実施形態のHeNB基地局THeNB1の構成]
図１３は、第３の実施形態の無線通信システムを構成するＨｅＮＢ基地局THeNB1のブロック図である。図１３に示すように、第３の実施形態のＨｅＮＢ基地局THeNB1は、無線受信部３８１と、ネットワーク用受信部３８３と、ネットワーク用送信部３８５と、無線送信部３８７と、制御部３８９とを備える。制御部３８９は、報知情報管理部３９１と、ハンドオーバ管理部３９３とを有する。なお、ハンドオーバ管理部３９３は、ＣＳＧ識別子判定部３９５を含む。
【０１２７】
無線受信部３８１は、端末UE1から送信された個別制御情報に対する応答メッセージ、測定結果報告（Measurement Report）などを受信して、制御部３８９に出力する。
【０１２８】
ネットワーク用受信部３８３は、ハンドオーバ要求（Handover Request）メッセージを受信して、制御部３８９に出力する。
【０１２９】
ネットワーク用送信部３８５は、ハンドオーバ応答（Handover Response）メッセージを送信する。
【０１３０】
制御部３８９は、ネットワーク用受信部３８３から入力されたハンドオーバ要求メッセージをハンドオーバ管理部３９３に出力する。制御部３８９は、どのセルからハンドオーバしたかを知る必要がある場合、１つのセル以外のセルに対しては、当該セルが属していないＣＳＧのＣＳＧ識別子（偽ＣＳＧ識別子）を含めるよう報知情報管理部３９１に通知する。
【０１３１】
報知情報管理部３９１は、制御部３８９から偽ＣＳＧ識別子を含めるよう指示されると、報知情報の１つであるＳＩＢ１のパラメータ「ＣＳＧ識別子」に「偽ＣＳＧ識別子（dummy CSG ID）」を設定した報知情報を作成する。報知情報管理部３９１は、作成した報知情報を無線送信部３８７に出力する。なお、報知情報管理部３９１は、セル毎に異なる偽ＣＳＧ識別子をパラメータ「ＣＳＧ識別子」に設定しても良い。
【０１３２】
ハンドオーバ管理部３９３は、制御部３８９から入力されたハンドオーバ要求メッセージの内容を確認し、当該メッセージ中にＣＳＧ識別子とメンバ（member）情報が含まれている場合、ＣＳＧ識別子をＣＳＧ識別子判定部３９５に出力する。ハンドオーバ管理部３９３は、当該ＣＳＧ識別子がＣＳＧ識別子判定部３９５によって偽ＣＳＧ識別子であると判定されると、ハンドオーバを拒否する。また、ハンドオーバ管理部３９３は、ＣＳＧセルとして運用している場合、ハンドオーバ要求メッセージで「メンバではない（non-member）」ことが指示されれば、ハンドオーバを受け入れない。また、ハンドオーバ管理部３９３は、ハンドオーバを承認すると判定した場合、端末UE1宛のハンドオーバコマンドを含むハンドオーバ応答メッセージを作成し、ネットワーク用送信部３８５に出力する。一方、ハンドオーバ管理部３９３は、ハンドオーバを承認しないと判定した場合、ハンドオーバを承認しないことを含むハンドオーバ応答メッセージを作成し、ネットワーク用送信部３８５に出力する。なお、ハンドオーバ管理部３９３は、偽ＣＳＧ識別子により、どのセルへのハンドオーバかを見分け、端末UE1を受け入れられると判断する場合、当該セルへのハンドオーバを受け入れても良い。なお、ハンドオーバ管理部３９３は、自身の無線リソースの状況も考慮してハンドオーバを受け入れるかを判定する。
【０１３３】
ＣＳＧ識別子判定部３９５は、ハンドオーバ管理部３９３から入力されたＣＳＧ識別子が偽ＣＳＧ識別子であるかを照合する。ＣＳＧ識別子判定部３９５は、パラメータ「ＣＳＧ識別子」の値が偽ＣＳＧ識別子であると判定すると、ハンドオーバ管理部３９３に偽ＣＳＧ識別子であると出力する。
【０１３４】
無線送信部３８７は、個別制御情報、報知情報を端末UE1に送信する。
【０１３５】
［第３の実施形態のＨｅＮＢ基地局THeNB1の動作フローチャート］
図１４は、第３の実施形態におけるＨｅＮＢ基地局THeNB1の動作の一例を示すフローチャートである。ＨｅＮＢ基地局THeNB1は、アクセス禁止として運用するセル（SCellとして運用するセル）において、パラメータ「ＣＳＧ識別子」の値を偽ＣＳＧ識別子（dummy CSG ID）に設定したＳＩＢ１を報知する（ステップＳ３０１）。次に、ＨｅＮＢ基地局THeNB1は、無線通信装置SNE1からハンドオーバ要求メッセージを受信する（ステップＳ３０２）。
【０１３６】
次に、ＨｅＮＢ基地局THeNB1は、ハンドオーバ要求メッセージに含まれるパラメータ「ＣＳＧ識別子」の値が偽ＣＳＧ識別子（dummy CSG ID）であるかどうかを判定し（ステップＳ３０３）、偽ＣＳＧ識別子でなければステップＳ３０４に進み、偽ＣＳＧ識別子であればステップＳ３０７に進む。ステップＳ３０４では、ＨｅＮＢ基地局THeNB1は、ハンドオーバを受け入れるかどうかを判定し、受け入れる場合はステップＳ３０５に進み、受け入れない場合はステップＳ３０７に進む。
【０１３７】
ステップＳ３０５では、ＨｅＮＢ基地局THeNB1は、ハンドオーバを受け入れると判断したセルにハンドオーバさせるためのハンドオーバコマンドを含むハンドオーバ応答メッセージを作成する。また、ステップＳ３０７では、ＨｅＮＢ基地局THeNB1は、ハンドオーバを受け入れないことを示したハンドオーバ応答メッセージを作成。ステップＳ３０５又はステップＳ３０７を行った後、ＨｅＮＢ基地局THeNB1は、ハンドオーバ応答メッセージを無線通信装置SNE1へ送信する（ステップＳ３０６）。
【０１３８】
なお、ＨｅＮＢ基地局THeNB1は、偽ＣＳＧ識別子により、どのセルへのハンドオーバかを見分けられ、また、その端末UE1を受け入れられると判断する場合、当該セルへのハンドオーバを受け入れても良い。
【０１３９】
以上説明したように、本実施形態によれば、ＨｅＮＢ基地局THeNB1から端末UE1に送信されるＳＩＢ１が含むパラメータ「ＣＳＧ識別子」に、当該ＨｅＮＢ基地局THeNB1で使用されていない偽ＣＳＧ識別子（dummy CSG ID）が設定されることにより、無線通信装置SNE1からのハンドオーバ要求があっても、ＨｅＮＢ基地局THeNB1はハンドオーバを承認しないと判定する。したがって、無線通信装置SNE1が端末UE1を意図しないセルへハンドオーバさせることを防ぐことができる。
【０１４０】
なお、本実施形態において、HeNB基地局THeNB1は、ハンドオーバを受け入れないセルの報知情報において、偽ＣＳＧ識別子を報知する方法を示したが、偽ＣＳＧ識別子を報知する代わりに、偽ＣＧＩを報知するようにしてもよい。偽ＣＧＩは、Ｓ１インタフェースを確立する際に使用されるＨｅＮＢ識別子とは異なる値である。ＨｅＮＢ基地局THeNB1は、ハンドオーバを受け入れないセルを無線通信装置SNE1が端末UE1からの測定結果報告により特定できる情報を無線通信装置SNE1に通知する。その情報は、無線通信装置SNE1が端末UE1からの測定結果報告により、ハンドオーバを受け入れないセルであるかを判定できる情報であればなんでもよい。例えば、偽ＣＧＩとＰＣＩのペアでもよいし、偽ＣＧＩと周波数のペアでもよい。また、偽ＣＧＩは、ＨｅＮＢ基地局THeNB1が決定しても良いし、ネットワークが決定し、HeNB基地局THeNB1に通知してもよい。ＨｅＮＢ基地局THeNB1は、ハンドオーバを受け入れないセルにおいて偽ＣＧＩを報知する。端末UE1は、ハンドオーバを受け入れないセルの偽ＣＧＩを含む測定結果報告を無線通信装置SNE1に送信する。無線通信装置SNE1は、受信した測定結果報告から偽ＣＧＩであることを判定すると、当該セルへのハンドオーバを行わない。無線通信装置SNE1は、偽ＣＧＩからHeNB基地局THeNB1が受け入れる別のセルを判定することができる場合、当該別のセルへのハンドオーバを行っても良い。このようにすることで、無線通信装置SNE1が、ＨｅＮＢ基地局THeNB1がハンドオーバを受け入れないセルに対するハンドオーバ要求メッセージを送ることを防ぐことができる。また、ＨｅＮＢ基地局THeNB1は、ハンドオーバを受け入れないセルの報知情報のパラメータ「Cell barred」をアクセス禁止（barred）に設定してもよい。このようにすることで、アイドルの端末がアクセス禁止として運用するセルに接続することを避けることができる。この方法は、ＨｅＮＢ基地局THeNB1がオープンセルで運用している場合にも使用することができる。
【０１４１】
（第４の実施形態）
図１５〜図１８を参照して、第４の実施形態の無線通信システムについて説明する。第４の実施形態の無線通信システムは、無線通信端末（端末）及び無線通信装置から構成される。端末は、ダウンリンクで無線通信装置からセル毎に送信された参照信号を受信して、定められた計算式に基づいて導出される測定結果を無線通信装置に報告する。無線通信装置は、各端末に対して無線リソース（例えば、周波数領域又は時間領域での周波数帯域）の割り当て及び管理を行い、端末のための無線アクセスネットワークのアクセスポイントの役割を有する。また、無線通信装置は、端末からの測定結果報告に基づいて他のセルへのハンドオーバが必要と判断した際にハンドオーバ処理を行う機能を有する。
【０１４２】
図１５は、第４の無線通信システムにおいて、端末UE１が測定結果報告を送信する際のタイミングチャートの一例を示す図である。図１５に示すように、端末UE1は、ＨｅＮＢ基地局THeNB1が管理する周波数ｆ１のCell1をPCellとして使用し、周波数ｆ２のCell2をSCellとして使用してキャリアアグリゲーションを行った際に、過去情報（Finger Print）を作成する。なお、端末UE1は、ＨｅＮＢ基地局THeNB1が提供するセルがＣＳＧセル又はハイブリッドセルの場合にのみ過去情報を作成してもよい。端末UE1は、接続している無線通信装置SNE1が個別制御信号（例えば「RRC Connection Reconfiguration」）によって「Proximity Indication」をサポートしている（例えば「RRC Connection Reconfiguration」の中に含まれるパラメータ「ProximityIndicationEUTRA」を真（TRUE）にセットしている）場合、過去情報に基づいて、以前接続したセルに近づいたかどうかを判定する。なお、以前接続したセルとは、端末UE1が接続することを許可されたセルである。端末UE1は、以前接続したセルに近づいたと判定すると、過去情報を参照して、周波数ｆ１がPCellに使用されていた周波数であるという情報及び周波数ｆ２がSCellに使用されていた周波数であるという情報を含む「Proximity Indication」を作成し、無線通信装置SNE1に送信する。
【０１４３】
無線通信装置SNE1は、端末UE1から「Proximity Indication」を受信し、この「Proximity Indication」に含まれる周波数を端末UE1に測定させるための測定設定（Measurement Configuration）を作成する。このとき、無線通信装置SNE1は、PCellの周波数ｆ１に対する測定設定を作成する一方で、この測定設定により端末UE1がPCellの周波数ｆ１で測定結果報告を作成する際に、周波数ｆ２における受信品質が最も良いセル（ベストセル）の受信品質を測定結果報告に含めるという指示を測定設定に含める。次に、無線通信装置SNE1は、作成した測定設定（Measurement Configuration）を端末UE1に送信する。
【０１４４】
端末UE1は、測定設定（Measurement Configuration）に基づき測定を行う。端末UE1は、Cell1を検知し、Cell1の受信品質が測定結果報告を送る条件を満たすと、Cell1の受信品質と周波数ｆ２のベストセルの受信品質とを含む測定結果報告を無線通信装置SNE1に送信する。なお、図１５に示した例では、周波数ｆ２のベストセルがCell2である。無線通信装置SNE1は、ハンドオーバ要求メッセージ（Handover Request）の中に測定結果報告を含めてＨｅＮＢ基地局THeNB1に送信する。周波数ｆ２のベストセルがCell2である場合、ＨｅＮＢ基地局THeNB1は、Cell1をPCell、Cell2をSCellとしたキャリアアグリゲーションの設定を含むハンドオーバ応答メッセージ（Handover Response）を無線通信装置SNE1に送信する。無線通信装置SNE1は、ハンドオーバ応答メッセージに含まれるハンドオーバコマンドを端末UE1に送信する。
【０１４５】
このように、ハンドオーバ要求メッセージに含まれる測定結果報告（Measurement Report）の情報により、ＨｅＮＢ基地局THeNB1はハンドオーバ要求メッセージに含まれるＣＧＩが示すセルを正しく判定することができるため、無線通信装置SNE1は、正しいセルへのハンドオーバを端末UE1に指示することができる。また、端末UE1は、SCellの候補としてのセルの情報も同時に取得できるため、ハンドオーバ後にキャリアアグリゲーションをすぐに始めることができる。
【０１４６】
[第４の実施形態の端末UE1の構成]
図１６は、第４の実施形態の無線通信システムを構成する端末UE1のブロック図である。図１６に示すように、第４の実施形態の端末UE1は、受信部４０１と、制御部４０３と、送信部４０５とを備える。制御部４０３は、過去情報管理部４１１と、Proximity検知部４１３と、Proximity Indication作成部４１５と、ホワイトリスト管理部４１７と、ＣＳＧメンバ判定部４１９と、測定管理部４２１と、測定結果報告作成部４２３とを有する。なお、Proximity Indication作成部４１５は、PCell/SCell判定部４２５を含む。
【０１４７】
受信部４０１は、制御部４０３からの指示に応じて、端末UE1が接続しているセルのダウンリンクを介して、報知情報又は個別制御情報等の制御情報を受信する。受信部４０１は、受信した報知情報及び個別制御情報等を制御部４０３へ出力する。また、受信部４０１は、制御部４０３の測定管理部４２１からの指示に応じて、参照信号（例えば、セル参照信号（Cell Reference Signal：CRS））の受信又は受信信号強度（Received Signal Strength Indication：RSSI）の測定等を行う。受信部４０１は、受信した参照信号又はRSSI等の測定結果を制御部４０３の測定管理部４２１に出力する。
【０１４８】
制御部４０３は、受信部４０１に報知情報又は個別制御情報等の受信を指示する。制御部４０３には、受信部４０１が受信した報知情報又は個別制御情報等の制御情報が入力される。制御部４０３は、個別制御情報に測定設定が含まれる場合、測定管理部４２１に測定設定を出力する。また、測定設定にreportCGIが指示されている場合、制御部４０３は、測定設定で指示される対象となるセルの報知情報の１つであるＳＩＢ１の受信を受信部４０１に指示する。制御部４０３は、reportCGIの指示に対応したＳＩＢ１が入力され、ＳＩＢ１にＣＳＧ識別子が含まれると、ＣＳＧ識別子をＣＳＧメンバ判定部４１９に出力する。なお、制御部４０３は、ホワイトリスト管理部４１７からＰＬＭＮ識別子を出力するよう指示されると、ＳＩＢ１に含まれるＰＬＭＮ識別子を出力する。なお、ＰＬＭＮ識別子は、オペレータを判別するための識別子である。制御部４０３は、ＳＩＢ１に含まれているＣＧＩと、ＰＣＩ（Physical Cell Identity）とを測定結果報告作成部４２３に出力する。なお、制御部４０３は、ＣＳＧメンバ判定部４１９からＣＳＧ識別子とメンバの状態（すなわち、メンバである（member）かメンバではない（non-member）かの判定結果）とが入力されると、それらの情報を一緒に測定結果報告作成部４２３に出力する。
【０１４９】
制御部４０３は、ＳＩＢ１にＣＳＧ識別子が含まれている場合、すなわち、ＣＳＧセルまたはハイブリッドセルに接続したときに、過去情報（Finger Print）を作成するよう過去情報管理部４１１に指示する。制御部４０３は、個別制御情報（RRC Connection Reconfiguration）において、「Proximity Indication」を送信するか否かを示すパラメータ「proximityIndicationEUTRA」が「Enable」に設定されている場合、「Proximity Indication」を送るべきか判断するようにProximity検知部４１３に通知する。制御部４０３は、個別制御情報を受信するとその応答メッセージを作成し、送信部４０５へ出力する。
【０１５０】
以下、制御部４０３が有する各構成要素について説明する。
【０１５１】
過去情報管理部４１１は、制御部４０３から過去情報（Finger Print）を作成するよう指示されると、接続しているセルから過去情報（Finger Print）を作成する。過去情報管理部４１１は、例えば、接続しているセル、隣接するセルの情報、及び、周波数情報などを一緒に管理する。さらに、過去情報管理部４１１は、接続しているセルがPCell（Primary Cell）であるか、キャリアアグリゲーションのSCell（Secondary Cell）であるかを区別して保持する。なお、単独で接続しているセルはPCellとして管理する。過去情報管理部４１１は、Proximity検知部４１３からの通知に応じて、保持している情報をProximity検知部４１３に出力する。過去情報管理部４１１は、PCell/SCell判定部４２５からセルがPCellかSCellかをたずねられると、PCellかSCellかを通知する。
【０１５２】
Proximity検知部４１３は、制御部４０３から「Proximity Indication」を送るか判断するように通知されると、過去情報管理部４１１に管理している情報を出力するように通知する。Proximity検知部４１３は、過去情報管理部４１１から入力された過去情報や、例えば、周囲のセルの状況などから、ＣＳＧセル又はハイブリッドセルに近づいたかどうかを検知する。Proximity検知部４１３は、過去情報に記載されたＣＳＧセル又はハイブリッドセルに近づいたと検知すると、検知したＣＳＧセル又はハイブリッドセルに対応する「Proximity Indication」を作成するようProximity Indication作成部４１５に指示する。
【０１５３】
Proximity Indication作成部４１５は、Proximity検知部４１３から指示されたＣＳＧセル又はハイブリッドセルの情報を、Proximity Indication作成部４１５のPCell/SCell判定部４２５に出力する。Proximity Indication作成部４１５は、PCell/SCell判定部４２５からPCellであることが出力されると、当該周波数がPCellの周波数であるという情報と、当該PCellに対応するSCellの周波数の情報を含む「Proximity Indication」を作成し、送信部４０５へ出力する。Proximity Indication作成部４１５は、PCell/SCell判定部４２５からSCellであることが出力されると、当該周波数がSCellの周波数であるという情報と、当該SCellに対応するPCellの周波数の情報を含む「Proximity Indication」を作成し、送信部４０５へ出力する。
【０１５４】
Proximity Indication作成部４１５のPCell/SCell判定部４２５は、入力されたセルがPCellかSCellかを過去情報管理部４１１に確認する。PCell/SCell判定部４２５は、入力されたセルがPCellであると過去情報管理部４１１から入力されると、当該セルがPCellであったことをProximity Indication作成部４１５に出力する。また、PCell/SCell判定部４２５は、入力されたセルがSCellであると過去情報管理部４１１から入力されると、当該セルがSCellであったことをProximity Indication作成部４１５に出力する。このようにすることで、端末UE1は、PCellかSCellかを無線通信装置SNE1に通知することができるため、無線通信装置SNE1が効率的な測定設定を行うことができる。
【０１５５】
ホワイトリスト管理部４１７は、制御部４０３から入力されたホワイトリストを管理する。ホワイトリスト管理部４１７は、ＣＳＧメンバ判定部４１９からの指示に応じてホワイトリストを出力する。
【０１５６】
ＣＳＧメンバ判定部４１９は、制御部４０３からＣＳＧ識別子が入力されると、ホワイトリスト管理部４１７にホワイトリストを出力するよう指示する。ＣＳＧメンバ判定部４１９は、ホワイトリスト管理部４１７から入力されたホワイトリストに制御部１０３から入力されたＣＳＧ識別子が含まれるかを照合する。なお、ＣＳＧメンバ判定部４１９は、必要である場合、制御部４０３にＰＬＭＮ識別子の出力を指示し、ホワイトリストと入力されたＣＳＧ識別子の照合に使用する。ＣＳＧメンバ判定部４１９は、制御部４０３から入力されたＣＳＧ識別子がホワイトリストに合致すると判定した場合、ＣＳＧ識別子とメンバである（member）ことを制御部４０３に出力する。ＣＳＧメンバ判定部４１９は、制御部４０３から入力されたＣＳＧ識別子がホワイトリストに合致しないと判定した場合、ＣＳＧ識別子とメンバではない（non-member）ことを制御部４０３に出力する。
【０１５７】
測定管理部４２１は、測定設定に基づき、セルの受信品質の測定を受信部４０１に出力する。測定管理部４２１は、受信部４０１から入力されたセルの受信品質に基づいて、測定結果報告を送ると判断する。測定管理部４２１は、測定結果報告を送ると判断すると、受信部４０１から入力されたセルの受信品質を測定結果報告作成部４２３に出力する。また、測定管理部４２１は、受信部４０１から入力されたセルの受信品質を管理する。さらに、測定管理部４２１は、測定設定によって、他周波数のベストセルの情報も含む測定結果報告を作成するよう指示されると、報告条件を満たしたセルに加え、指示された周波数におけるベストセルも含めた測定結果報告を作成する。なお、他周波数のベストセルも含めるように指示する方法は、例えば、報告設定(reportConfig)において周波数を指示する方法でもよい。この際、１つの周波数のみを指示してもよいし、複数の周波数を指示してもよい。また、現在端末が使用していない周波数でもよい。この場合、端末には当該周波数における測定設定を渡すようにしてもよい。
【０１５８】
測定結果報告作成部４２３は、測定管理部４２１から測定結果報告を作成するように指示されると、入力されたセルの受信品質から測定結果報告を作成する。また、測定結果報告作成部４２３は、制御部４０３からＣＧＩ及びＰＣＩが入力されると、それらの情報から測定結果報告を作成する。なお、測定結果報告作成部４２３は、制御部４０３からＣＳＧ識別子と「メンバ（member）」の状態が入力される場合、それらの情報を一緒に含めた測定結果報告を作成する。測定結果報告作成部４２３は、測定結果報告を送信部４０５に出力する。
【０１５９】
送信部４０５は、制御部４０３、制御部４０３のProximity Indication作成部４１５、制御部４０３の測定結果報告作成部４２３から入力された情報を、接続しているセルに送信する。
【０１６０】
[第４の実施形態の端末UE1の動作フローチャート]
図１７は、第４の実施形態における端末UE1の動作の一例を示すフローチャートである。端末UE1は、ＨｅＮＢ基地局THeNB1においてキャリアアグリゲーションを行った際に、PCellとSCellの各々において、過去情報（Finger Print）を作成する（ステップＳ４０１）。次に、端末UE1は、無線通信装置SNE1から、「Proximity Indication」をサポートしていることを含むＳＩＢ１を受信する（ステップＳ４０２）。次に、端末UE1は、過去情報からＣＳＧセルの近くにいることを検知する（ステップＳ４０３）次に、端末UE1は、ＣＳＧセルと通信を行った際のPCellの周波数及びSCellの周波数の各情報を含む「Proximity Indication」を作成し、無線通信装置SNE1に送信する（ステップＳ４０４）。
【０１６１】
次に、端末UE1は、無線通信装置SNE1から、PCellの周波数に対する測定設定を受信する（ステップＳ４０５）。なお、当該測定設定は、PCellの周波数でセルが報告条件を満たしたときに、PCellの周波数以外の指示した周波数におけるベストセルを一緒に送信するよう指示している。当該ベストセルがSCellの候補である。端末UE1は、PCellの周波数におけるセルを検知し、当該セルの受信品質が報告条件を満たすと、測定設定で指示された周波数のベストセルの受信品質と一緒に測定結果報告を作成し、無線通信装置SNE1に送信する（ステップＳ４０６）。なお、上記測定設定は、特定のＣＳＧセルを発見したときにだけ、指示した周波数のベストセルを通知させるようにしても良い。
【０１６２】
[第４の実施形態の無線通信装置SNE1の構成]
図１８は、第４の実施形態の無線通信システムを構成する無線通信装置SNE1のブロック図である。図１８に示すように、第４の実施形態の無線通信装置SNE1は、無線受信部４５１と、ネットワーク用受信部４５３と、ネットワーク用送信部４５５と、無線送信部４５７と、制御部４５９とを備える。制御部４５９は、測定設定管理部４６１と、ハンドオーバ管理部４６３とを有する。
【０１６３】
無線受信部４５１は、端末UE1から送信された個別制御情報に対する応答メッセージ、測定結果報告（Measurement Report）、「Proximity Indication」などを受信して、制御部４５９に出力する。
【０１６４】
ネットワーク用受信部４５３は、ハンドオーバ応答（Handover Response）メッセージを受信して、制御部４５９に出力する。
【０１６５】
ネットワーク用送信部４５５は、ハンドオーバ要求（Handover Request）メッセージを送信する。
【０１６６】
制御部４５９は、無線受信部４５１が受信した測定結果報告（Measurement Report）をハンドオーバ管理部４６３に出力する。制御部４５９は、無線受信部４５１が受信した「Proximity Indication」を測定設定管理部４６１に出力する。制御部４５９は、報知情報を作成し、無線送信部４５７に出力する。また、制御部４５９は、ハンドオーバ管理部４６３からの指示、測定設定管理部４６１から入力される情報などから個別制御情報を作成し、無線送信部４５７に出力する。
【０１６７】
ハンドオーバ管理部４６３は、ＣＳＧセル又はハイブリッドセルへのハンドオーバをサポートする場合、端末に「Proximity Indication」を送信させるために、パラメータ「proximityIndicationEUTRA」を「Enable」にセットした個別制御情報の作成を制御部４５９に指示する。ハンドオーバ管理部４６３は、Cell1へのハンドオーバを決定すると、測定結果報告を含むハンドオーバ要求メッセージを作成する。ハンドオーバ管理部４６３は、当該セルを管理するＨｅＮＢ基地局THeNB1に作成したハンドオーバ要求メッセージを送信するようネットワーク用送信部４５５に出力する。ハンドオーバ管理部４６３は、ハンドオーバ応答メッセージに当該セルへのハンドオーバを承認するという指示が含まれている場合、ハンドオーバ応答メッセージに含まれるハンドオーバコマンドを、端末UE1に送信するため、制御部４５９に出力する。一方、ハンドオーバ応答メッセージにハンドオーバを承認しないという指示が含まれている場合、ハンドオーバ管理部４６３は、当該セル以外へのハンドオーバに切り替えるか、当該セルへの接続を維持させる。
【０１６８】
測定設定管理部４６１は、「Proximity Indication」に含まれるPCellの周波数の測定設定を作成する。「Proximity Indication」にSCellの周波数が含まれる場合、測定設定管理部４６１は、PCellの周波数における測定設定によって測定結果報告を送信することの指示に加えて、「Proximity Indication」に含まれていたSCellの周波数における受信品質が最も良いセル（ベストセル）の受信品質を含めた測定結果報告を送信することを指示する測定設定を作成してもよい。測定設定管理部４６１は、作成した測定設定を制御部４５９に出力する。なお、測定設定管理部４６１は、PCellの測定結果報告が送信される場合にのみ、「Proximity Indication」に含まれていたSCellの周波数におけるベストセルの受信品質を含めた測定結果報告を送信することを指示する測定設定を作成してもよい。なお、測定設定管理部４６１は、「Proximity Indication」に含まれていたSCellの周波数以外の周波数におけるベストセルの受信品質を含めた測定結果報告を送信することを指示する測定設定を作成してもよい。
【０１６９】
無線送信部４５７は、個別制御情報、報知情報を端末UE1に送信する。
【０１７０】
[第４の実施形態のHeNB基地局THeNB1の構成]
図１９は、第４の実施形態の無線通信システムを構成するＨｅＮＢ基地局THeNB1のブロック図である。図１９に示すように、第４の実施形態のＨｅＮＢ基地局THeNB1は、無線受信部４８１と、ネットワーク用受信部４８３と、ネットワーク用送信部４８５と、無線送信部４８７と、制御部４８９とを備える。制御部４８９は、報知情報管理部４９１と、ハンドオーバ管理部４９３とを有する。
【０１７１】
無線受信部４８１は、端末UE1から送信された個別制御情報に対する応答メッセージ、測定結果報告（Measurement Report）などを受信して、制御部４８９に出力する。
【０１７２】
ネットワーク用受信部４８３は、ハンドオーバ要求（Handover Request）メッセージを受信して、制御部４８９に出力する。
【０１７３】
ネットワーク用送信部４８５は、ハンドオーバ応答（Handover Response）メッセージを送信する。
【０１７４】
制御部４８９は、ネットワーク用受信部４８３から入力されたハンドオーバ要求メッセージをハンドオーバ管理部４９３に出力する。制御部４８９は、報知情報管理部４９１に報知情報を作成するよう指示する。
【０１７５】
報知情報管理部４９１は、制御部４８９からの指示に応じて報知情報を作成する。報知情報管理部４９１は、作成した報知情報を無線送信部４８７に出力する。
【０１７６】
ハンドオーバ管理部４９３は、制御部４８９から入力されたハンドオーバ要求メッセージに含まれる測定結果報告から、ハンドオーバ先のセルを特定する。ハンドオーバ管理部４９３は、当該セルへのハンドオーバを承認すると判定すると、端末UE1宛の当該セルへのハンドオーバコマンドを含むハンドオーバ応答メッセージを作成し、ネットワーク用送信部４８５に出力する。また、ハンドオーバ管理部４９３は、測定結果報告からキャリアアグリゲーションを提供できると判定すると、端末UE1宛のキャリアアグリゲーション情報を含むハンドオーバコマンドを含むハンドオーバ応答メッセージを作成し、ネットワーク用送信部４８５に出力する。ハンドオーバ管理部４９３は、ＣＳＧセルとして運用している場合、ハンドオーバ要求メッセージでメンバではない（non-member）ことが指示されているとハンドオーバを受け入れない。なお、ハンドオーバ管理部４９３は、自身の無線リソースの状況も考慮してハンドオーバを受け入れるかを判定する。
【０１７７】
無線送信部４８７は、個別制御情報、報知情報を端末UE1に送信する。
【０１７８】
以上説明したように、本実施形態によれば、端末UE1が無線通信装置SNE1に送信する「Proximity Indication」には、周波数ｆ１がPCellに使用されている周波数であるという情報と周波数ｆ２がSCellに使用されている周波数であるという情報とが含まれ、無線通信装置SNE1が端末UE1に送信する測定設定（Measurement Configuration）には、PCellの周波数ｆ１での測定結果報告を作成するとの指示内容に加えて、周波数ｆ２におけるベストセルの受信品質を測定結果報告に含めるとの指示も含まれる。このため、ＨｅＮＢ基地局THeNB1は、端末UE1からの測定結果報告（Measurement Report）を含むハンドオーバ要求メッセージに基づいて、ハンドオーバ先のセルを正しく判定でき、無線通信装置SNE1は、正しいセルへのハンドオーバを端末UE1に指示することができる。また、端末UE1は、SCellの候補としてのセルの情報も同時に取得できるため、ハンドオーバ後にキャリアアグリゲーションをすぐに始めることができる。
【０１７９】
なお、上記各実施形態を組み合わせて使用してもよい。例えば、第１の実施形態と第２の実施形態とを組み合わせて使用してもよいし、第１の実施形態と第３の実施形態とを組み合わせて使用してもよい。
【０１８０】
なお、第２の実施形態、第３の実施形態及び第４の実施形態では、ＨｅＮＢ基地局THeNB1が通常通り運用するセルをPCellとし、それ以外のセルをSCellとして運用する方法を説明したが、本発明はそれ以外の運用方法にも適用することができる。例えば、ＨｅＮＢ基地局THeNB1が自局内で複数のセルを管理する場合、Ｓ１インタフェース上では一つのセルと見せるが、複数のセルとして管理してもよい。例えば、ＨｅＮＢ基地局THeNB1は、通常通り運用していないセルに接続する端末を、通常通り運用するセルに接続しているようにＳ１インタフェース上では見せかける。このようにすることで、ＨｅＮＢ基地局THeNB1が管理するセルと接続している端末に対しては、PCellとなるセルを通常通り運用していないセルにしてもよい。これは、ＨｅＮＢ基地局THeNB1に接続している端末からの測定結果報告を元に、意図してPCellとするセルを切り替えることができるためである。さらに、ＨｅＮＢ基地局THeNB1は、端末が接続している無線通信装置から送信されるハンドオーバ要求メッセージにより、ハンドオーバ要求メッセージが示しているセルを正しく認識することができる場合、通常通り運用していないセルを単独又はPCellで端末に設定することができる。
【０１８１】
また、第４の実施形態では、「Proximity Indication」により無線通信装置SNE1が測定設定を作成する場合を説明したが、「Proximity Indication」がなくとも上記のような測定設定を作成しても良い。すなわち、無線通信装置SNE1は、特定の周波数において測定結果報告が送信される場合、別の特定の周波数におけるベストセルの測定結果を含めることを指示する測定設定を作成してもよい。このようにすることで、特定の周波数しか管理していない基地局において、ハンドオーバ後にすぐキャリアアグリゲーションを提供できる移動制御を行うことができる。
【０１８２】
なお、上記各実施形態では、ハンドオーバ先の基地局をＨｅＮＢ基地局THeNB1として説明したが、本発明はＨｅＮＢ基地局に限定されない。すなわち、無線通信装置の識別子がＣＧＩと同一となる無線通信装置に対して適用することができる。
なお、上記各実施形態における、アクセス禁止として運用するセル、SCellとして運用するセル、ハンドオーバを受け入れないセル、及び、ハンドオーバ先のセルとして受け入れられないセルとは、無線通信装置が複数のセルを運用する際に、Ｓ１インタフェースにより特定できないセルと解釈してもよい。
【０１８３】
上記各実施形態では、本発明をハードウェアで構成する場合を例にとって説明したが、本発明はハードウェアとの連携においてソフトウェアで実現することも可能である。
【０１８４】
また、上記各実施形態の説明に用いた各機能ブロックは、典型的には集積回路であるＬＳＩとして実現される。これらは個別に１チップ化されても良いし、一部又は全てを含むように１チップ化されても良い。ここでは、ＬＳＩとしたが、集積度の違いにより、ＩＣ、システムＬＳＩ、スーパーＬＳＩ、ウルトラＬＳＩと呼称されることもある。
【０１８５】
また、集積回路化の手法はＬＳＩに限るものではなく、専用回路又は汎用プロセッサで実現しても良い。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用しても良い。
【０１８６】
さらには、半導体技術の進歩又は派生する別技術によりＬＳＩに置き換わる集積回路化の技術が登場すれば、当然、その技術を用いて機能ブロックの集積化を行っても良い。バイオ技術の適用等が可能性としてありえる。
【０１８７】
なお、上記実施形態ではアンテナとして説明したが、アンテナポートでも同様に適用できる。アンテナポート（Antenna port）とは、１本又は複数の物理アンテナから構成される論理的なアンテナを指す。すなわち、アンテナポートは必ずしも１本の物理アンテナを指すとは限らず、複数のアンテナから構成されるアレイアンテナ等を指すことがある。例えばＬＴＥ（Long Term Evolution）においては、アンテナポートが何本の物理アンテナから構成されるかは規定されず、基地局が異なる参照新号（Reference signal）を送信できる最小単位として規定されている。また、アンテナポートは、プリコーディング・ベクトル（Precoding vector）の重み付けを乗算する最小単位として規定されることもある。
【産業上の利用可能性】
【０１８８】
本発明に係る無線通信装置は、無線通信装置の意図しないセルへハンドオーバさせることを防ぐ無線通信装置等として有用である。
【符号の説明】
【０１８９】
１０１  受信部
１０３  制御部
１０５  送信部
１１１  過去情報管理部
１１３  Proximity検知部
１１５  Proximity Indication作成部
１１７  ホワイトリスト管理部
１１９  ＣＳＧメンバ判定部
１２１  測定管理部
１２３  測定結果報告作成部
１２５  PCell選択部
１５１  無線受信部
１５３  無線送信部
１５５  制御部
１６１  測定設定管理部
１６３  ハンドオーバ管理部
２０１  受信部
２０３  制御部
２０５  送信部
２１１  測定管理部
２１３  測定結果報告作成部
２１５  ホワイトリスト管理部
２１７  ＣＳＧメンバ判定部
２１９  アクセス禁止判定部
２５１  無線受信部
２５３  ネットワーク用受信部
２５５  ネットワーク用送信部
２５７  無線送信部
２５９  制御部
２６１  測定設定管理部
２６３  ハンドオーバ管理部
２６５  アクセス禁止判定部
２８１  無線受信部
２８３  ネットワーク用受信部
２８５  ネットワーク用送信部
２８７  無線送信部
２８９  制御部
２９１  報知情報管理部
２９３  ハンドオーバ管理部
３０１  受信部
３０３  制御部
３０５  送信部
３１１  測定管理部
３１３  測定結果報告作成部
３１５  ホワイトリスト管理部
３１７  ＣＳＧメンバ判定部
３５１  無線受信部
３５３  ネットワーク用受信部
３５５  ネットワーク用送信部
３５７  無線送信部
３５９  制御部
３６１  測定設定管理部
３６３  ハンドオーバ管理部
３８１  無線受信部
３８３  ネットワーク用受信部
３８５  ネットワーク用送信部
３８７  無線送信部
３８９  制御部
３９１  報知情報管理部
３９３  ハンドオーバ管理部
３９５  ＣＳＧ識別子判定部
４０１  受信部
４０３  制御部
４０５  送信部
４１１  過去情報管理部
４１３  Proximity検知部
４１５  Proximity Indication作成部
４１７  ホワイトリスト管理部
４１９  ＣＳＧメンバ判定部
４２１  測定管理部
４２３  測定結果報告作成部
４２５  PCell/SCell判定部
４５１  無線受信部
４５３  ネットワーク用受信部
４５５  ネットワーク用送信部
４５７  無線送信部
４５９  制御部
４６１  測定設定管理部
４６３  ハンドオーバ管理部
４８１  無線受信部
４８３  ネットワーク用受信部
４８５  ネットワーク用送信部
４８７  無線送信部
４８９  制御部
４９１  報知情報管理部
４９３  ハンドオーバ管理部
【図１】
2013078061.tif 000003
【図２】
2013078061.tif 000004
【図３】
2013078061.tif 000005
【図４】
2013078061.tif 000006
【図５】
2013078061.tif 000007
【図６】
2013078061.tif 000008
【図７】
2013078061.tif 000009
【図８】
2013078061.tif 000010
【図９】
2013078061.tif 000011
【図１０】
2013078061.tif 000012
【図１１】
2013078061.tif 000013
【図１２】
2013078061.tif 000014
【図１３】
2013078061.tif 000015
【図１４】
2013078061.tif 000016
【図１５】
2013078061.tif 000017
【図１６】
2013078061.tif 000018
【図１７】
2013078061.tif 000019
【図１８】
2013078061.tif 000020
【図１９】
2013078061.tif 000021
【図２０】
2013078061.tif 000022
【図２１】
2013078061.tif 000023
【図２２】
2013078061.tif 000024
【図２３】
2013078061.tif 000025
【図２４】
2013078061.tif 000026